(57)【要約】【課題】携帯端末装置を携帯するユーザを効率的に誘導すること。【解決手段】コンテンツ提供処理を起動するための第１起動情報と、コンテンツ提供処理を起動するための少なくとも１つの第２起動情報と、コンテンツと、を関連付けて保持するコンテンツ保持部と、携帯端末装置から、第１起動情報と第２起動情報とを受信したことを判定する情報判定部と、情報判定手段が第１起動情報と第２起動情報とを受信したことを判定した場合に、コンテンツ保持部に保持されたコンテンツを携帯端末装置に提供するコンテンツ提供手段と、を備える。【選択図】  図１
2017010284.tif 000002
【特許請求の範囲】
【請求項１】
コンテンツ提供処理を起動するための第１起動情報と、前記コンテンツ提供処理を起動するための少なくとも１つの第２起動情報と、コンテンツと、を関連付けて保持するコンテンツ保持手段と、
携帯端末装置から、前記第１起動情報と前記第２起動情報とを受信したことを判定する情報判定手段と、
前記情報判定手段が前記第１起動情報と前記第２起動情報とを受信したことを判定した場合に、前記コンテンツ保持手段に保持された前記コンテンツを前記携帯端末装置に提供するコンテンツ提供手段と、
を備える情報処理装置。
【請求項２】
前記第１起動情報は、前記携帯端末装置の撮像手段により撮像される撮像画像に関する情報であり、前記第２起動情報は、前記携帯端末装置の現在位置算出手段により算出される現在位置に関する情報である、請求項１に記載の情報処理装置。
【請求項３】
前記撮像画像に関する情報は、前記撮像画像から色情報に基づく特徴を抽出した特徴情報であり、前記情報判定手段は、前記撮像画像から抽出された前記特徴情報と前記コンテンツ保持手段にあらかじめ保持された特徴情報との類似度が所定閾値以上であれば前記第１起動情報を受信したと判定する、請求項２に記載の情報処理装置。
【請求項４】
前記情報判定手段は、前記現在位置が前記撮像画像に関連するターゲット場所から所定距離内であれば前記第２起動情報を受信したと判定する、請求項２または３に記載の情報処理装置。
【請求項５】
前記コンテンツは、前記現在位置から前記ターゲット場所への誘導用コンテンツを含む、請求項２乃至４のいずれか１項に記載の情報処理装置。
【請求項６】
前記コンテンツは、前記携帯端末装置を携帯するユーザを前記場所に誘導するためにシーケンスに再生される少なくとも２つのコンテンツを含む、請求項５に記載の情報処理装置。
【請求項７】
前記第２起動情報は、前記携帯端末装置が取得した現在日時に関する情報を含み、前記情報判定手段は、前記現在日時が前記撮像画像に関連するターゲット日時から所定時間内であれば前記第２起動情報を受信したと判定する、請求項１乃至６のいずれか１項に記載の情報処理装置。
【請求項８】
前記コンテンツは、前記ターゲット場所における前記現在日時に関連する催し物への誘導用コンテンツを含む、請求項７に記載の情報処理装置。
【請求項９】
前記第２起動情報は、さらに前記携帯端末装置が使用する言語を示す言語情報を含み、
前記コンテンツ提供手段は、前記言語情報に対応する言語のコンテンツを前記携帯端末装置に提供する、請求項２乃至８のいずれか１項に記載の情報処理装置。
【請求項１０】
携帯端末装置から、コンテンツ提供処理を起動するための第１起動情報と、前記コンテンツ提供処理を起動するための少なくとも１つの第２起動情報とを受信したことを判定する情報判定ステップと、
前記情報判定ステップにおいて前記第１起動情報と前記第２起動情報とを受信したことを判定した場合に、前記第１起動情報と前記第２起動情報とに関連付けてコンテンツ保持手段に保持されたコンテンツを前記携帯端末装置に提供するコンテンツ提供ステップと、
をコンピュータに実行させる情報処理プログラム。
【請求項１１】
コンテンツ提供処理を実行するアプリケーションをダウンロードして実行するアプリケーション実行手段と、
前記アプリケーションの実行中に、前記コンテンツ提供処理を起動するための第１起動情報と、前記コンテンツ提供処理を起動するための第２起動情報とを取得して、前記コンテンツを提供する情報処理装置に送信する情報送信手段と、
前記第１起動手段と前記第２起動手段との送信に応答して前記情報処理装置から提供されたコンテンツを再生するコンテンツ再生手段と、
を備える携帯端末装置。
【請求項１２】
コンテンツ提供処理を起動するための第１起動情報と、前記コンテンツ提供処理を起動するための第２起動情報とを取得して、前記コンテンツを提供する情報処理装置に送信する情報送信ステップと、
前記第１起動情報と前記第２起動情報との送信に応答して前記情報処理装置から提供されたコンテンツを再生するコンテンツ再生ステップと、
をコンピュータに実行させる携帯端末装置の制御プログラム。
【請求項１３】
コンテンツ提供処理を起動するための第１起動情報と、前記コンテンツ提供処理を起動するための第２起動情報と、コンテンツとを関連付けて保持するコンテンツ保持手段と、
携帯端末装置が取得した前記第１起動情報と前記第２起動情報とを、前記携帯端末装置から情報処理装置に送信する情報送信手段と、
前記情報処理装置が、前記第１起動情報と前記第２起動情報とを受信したことを判定した場合に、前記コンテンツ保持手段に保持された前記コンテンツを、前記情報処理装置から前記携帯端末装置に提供するコンテンツ提供手段と、
を備える情報処理システム。
【発明の詳細な説明】
【技術分野】
【０００１】
本発明は、携帯端末装置にコンテンツを提供するための技術に関する。
【背景技術】
【０００２】
上記技術分野において、特許文献１には、印刷物の２匹の犬のいずれかを携帯端末のカメラで撮影してサーバに送信すると、サーバが、その犬の撮影画像に類似する基準画像に対応する特定コンテンツを携帯端末に配信する技術が開示されている。
【先行技術文献】
【特許文献】
【０００３】
【特許文献１】特開２０１４−２３８８１５号公報
【発明の概要】
【発明が解決しようとする課題】
【０００４】
しかしながら、上記文献に記載の技術では、携帯端末のカメラで撮影した撮像画像をコンテンツ配信のトリガとし、提供するコンテンツ内容を選択するので、携帯端末装置を携帯するユーザを効率的に誘導することができなかった。
【０００５】
本発明の目的は、上述の課題を解決する技術を提供することにある。
【課題を解決するための手段】
【０００６】
上記目的を達成するため、本発明に係る情報処理装置は、
コンテンツ提供処理を起動するための第１起動情報と、前記コンテンツ提供処理を起動するための少なくとも１つの第２起動情報と、コンテンツと、を関連付けて保持するコンテンツ保持手段と、
携帯端末装置から、前記第１起動情報と前記第２起動情報とを受信したことを判定する情報判定手段と、
前記情報判定手段が前記第１起動情報と前記第２起動情報とを受信したことを判定した場合に、前記コンテンツ保持手段に保持された前記コンテンツを前記携帯端末装置に提供するコンテンツ提供手段と、
を備える。
【０００７】
上記目的を達成するため、本発明に係る情報処理プログラムは、
携帯端末装置から、コンテンツ提供処理を起動するための第１起動情報と、前記コンテンツ提供処理を起動するための少なくとも１つの第２起動情報とを受信したことを判定する情報判定ステップと、
前記情報判定ステップにおいて前記第１起動情報と前記第２起動情報とを受信したことを判定した場合に、前記第１起動情報と前記第２起動情報とに関連付けてコンテンツ保持手段に保持されたコンテンツを前記携帯端末装置に提供するコンテンツ提供ステップと、
をコンピュータに実行させる。
【０００８】
上記目的を達成するため、本発明に係る携帯端末装置は、
コンテンツ提供処理を実行するアプリケーションをダウンロードして実行するアプリケーション実行手段と、
前記アプリケーションの実行中に、前記コンテンツ提供処理を起動するための第１起動情報と、前記コンテンツ提供処理を起動するための第２起動情報とを取得して、前記コンテンツを提供する情報処理装置に送信する情報送信手段と、
前記第１起動手段と前記第２起動手段との送信に応答して前記情報処理装置から提供されたコンテンツを再生するコンテンツ再生手段と、
を備える。
【０００９】
上記目的を達成するため、本発明に係る携帯端末装置の制御プログラムは、
コンテンツ提供処理を起動するための第１起動情報と、前記コンテンツ提供処理を起動するための第２起動情報とを取得して、前記コンテンツを提供する情報処理装置に送信する情報送信ステップと、
前記第１起動情報と前記第２起動情報との送信に応答して前記情報処理装置から提供されたコンテンツを再生するコンテンツ再生ステップと、
をコンピュータに実行させる。
【００１０】
上記目的を達成するため、本発明に係る情報処理システムは、
コンテンツ提供処理を起動するための第１起動情報と、前記コンテンツ提供処理を起動するための第２起動情報と、コンテンツとを関連付けて保持するコンテンツ保持手段と、
携帯端末装置が取得した前記第１起動情報と前記第２起動情報とを、前記携帯端末装置から情報処理装置に送信する情報送信手段と、
前記情報処理装置が、前記第１起動情報と前記第２起動情報とを受信したことを判定した場合に、前記コンテンツ保持手段に保持された前記コンテンツを、前記情報処理装置から前記携帯端末装置に提供するコンテンツ提供手段と、
を備える。
【発明の効果】
【００１１】
本発明によれば、携帯端末装置を携帯するユーザを効率的に誘導することができる。
【図面の簡単な説明】
【００１２】
【図１】本発明の第１実施形態に係る情報処理装置の構成を示すブロック図である。
【図２Ａ】本発明の第２実施形態に係る情報処理装置を含む情報処理システムの動作を示す概念図である。
【図２Ｂ】本発明の第２実施形態に係る情報処理システムにおける携帯端末装置としてのスマートフォンの動作を示す図である。
【図３Ａ】本発明の第２実施形態に係る情報処理システムの構成を示す図である。
【図３Ｂ】本発明の第２実施形態に係る情報処理システムにおける登録情報を示す図である。
【図４Ａ】本発明の第２実施形態に係る情報処理システムにおけるコンテンツ登録処理の手順を示すシーケンス図である。
【図４Ｂ】本発明の第２実施形態に係る情報処理システムにおけるコンテンツ提供処理の手順を示すシーケンス図である。
【図５Ａ】本発明の第２実施形態に係る情報処理装置としてのコンテンツ提供サーバの機能構成を示すブロック図である。
【図５Ｂ】本発明の第２実施形態に係る画像特徴照合部の機能構成を示すブロック図である。
【図５Ｃ】本発明の第２実施形態に係る現在位置判定部の機能構成を示すブロック図である。
【図６】本発明の第２実施形態に係る提供コンテンツデータベースの構成を示す図である。
【図７】本発明の第２実施形態に係る携帯端末装置としてのスマートフォンの機能構成を示すブロック図である。
【図８】本発明の第２実施形態に係るコンテンツ提供サーバのハードウェア構成を示すブロック図である。
【図９Ａ】本発明の第２実施形態に係るコンテンツ提供サーバの処理手順を示すフローチャートである。
【図９Ｂ】本発明の第２実施形態に係るコンテンツ登録処理の手順を示すフローチャートである。
【図９Ｃ】本発明の第２実施形態に係るコンテンツ提供処理の手順を示すフローチャートである。
【図１０】本発明の第２実施形態に係るスマートフォンのハードウェア構成を示すブロック図である。
【図１１Ａ】本発明の第２実施形態に係るスマートフォンの処理手順を示すフローチャートである。
【図１１Ｂ】本発明の第２実施形態に係るアプリケーション実行処理の手順を示すフローチャートである。
【図１２Ａ】本発明の第３実施形態に係る情報処理装置を含む情報処理システムの動作を示す概念図である。
【図１２Ｂ】本発明の第３実施形態に係る情報処理システムにおける携帯端末装置としてのスマートフォンの動作を示す図である。
【図１３Ａ】本発明の第３実施形態に係る情報処理装置としてのコンテンツ提供サーバの機能構成を示すブロック図である。
【図１３Ｂ】本発明の第３実施形態に係る現在位置判定部の機能構成を示すブロック図である。
【図１３Ｃ】本発明の第３実施形態に係る画像特徴照合部の機能構成を示すブロック図である。
【図１４】本発明の第３実施形態に係る提供コンテンツデータベースの構成を示す図である。
【図１５】本発明の第３実施形態に係るコンテンツ提供処理の手順を示すフローチャートである。
【図１６Ａ】本発明の第４実施形態に係る情報処理装置を含む情報処理システムの動作を示す概念図である。
【図１６Ｂ】本発明の第４実施形態に係る情報処理システムにおける携帯端末装置としてのスマートフォンの動作を示す図である。
【図１７Ａ】本発明の第４実施形態に係る情報処理装置としてのコンテンツ提供サーバの機能構成を示すブロック図である。
【図１７Ｂ】本発明の第４実施形態に係る現在位置判定部の機能構成を示すブロック図である。
【図１７Ｃ】本発明の第４実施形態に係る現在日時判定部の機能構成を示すブロック図である。
【図１８】本発明の第４実施形態に係る提供コンテンツデータベースの構成を示す図である。
【図１９】本発明の第５実施形態に係る提供コンテンツデータベースの構成を示す図である。
【図２０】本発明の第５実施形態に係る情報処理システムにおける登録情報を示す図である。
【図２１】本発明の第６実施形態に係る提供コンテンツデータベースの構成を示す図である。
【図２２Ａ】本発明の第７実施形態に係る情報処理システムにおける携帯端末装置としてのスマートフォンの動作を示す図である。
【図２２Ｂ】本発明の第７実施形態に係る情報処理システムにおける携帯端末装置としてのスマートフォンの他の動作を示す図である。
【発明を実施するための形態】
【００１３】
以下に、図面を参照して、本発明の実施の形態について例示的に詳しく説明する。ただし、以下の実施の形態に記載されている構成要素は単なる例示であり、本発明の技術範囲をそれらのみに限定する趣旨のものではない。
【００１４】
［第１実施形態］
本発明の第１実施形態としての情報処理装置１００について、図１を用いて説明する。情報処理装置１００は、携帯端末装置にコンテンツを提供する装置である。
【００１５】
図１に示すように、情報処理装置１００は、コンテンツ保持部１０１と、情報判定部１０２と、コンテンツ提供部１０３と、を含む。コンテンツ保持部１０１は、コンテンツ提供処理を起動する第１起動情報１１１と、コンテンツ提供処理を起動する少なくとも１つの第２起動情報１１２と、コンテンツ１１３と、を関連付けて保持する。情報判定部１０２は、携帯端末装置１２０から、第１起動情報１１１と第２起動情報１１２とを受信したことを判定する。コンテンツ提供部１０３は、情報判定部１０２が第１情報１１１と第２起動７情報１１２とを受信したことを判定した場合に、コンテンツ１１３を携帯端末装置１２０に提供する。
【００１６】
本実施形態によれば、第１起動情報に加えて少なくとも１つの第２起動情報も考慮してコンテンツを携帯端末装置に提供するので、携帯端末装置を携帯するユーザを効率的に誘導することができる。
【００１７】
［第２実施形態］
次に、本発明の第２実施形態に係る情報処理装置を含む情報処理システムについて説明する。本実施形態に係る情報処理システムにおいては、携帯端末装置の撮像部であるカメラにより撮像された映像または画像が、あらかじめ登録された画像に対応することを判定する。さらに、携帯端末装置の現在位置算出部が算出した現在位置を条件として関連付けられたコンテンツの配信処理を開始する。この撮像画像と現在位置との組み合わせと配信されるコンテンツとは、登録画像に関連する場所にユーザを誘導するための動線に沿ったシナリオに従ってあらかじめ選択され登録されたものである。本実施形態では、カメラにより撮像された映像または画像は、ユーザの位置から撮像できる建築物や風景である場合を説明するが、パンフレットや雑誌などの媒体上の写真や印刷物を撮像した画像であってもよい。
【００１８】
ユーザが携帯端末装置のカメラから映した建築物や風景から、例えば、その建築物や風景に関連する目的地（以下、ターゲット場所とも言う）への現在位置からのナビゲーションが行なわれる。ユーザは、現在位置からのナビゲーションによって目的地へより強く誘導されることになる。本例によれば、既知の目的地であれば携帯端末装置の道先案内で迷わず目的地に誘導されるし、未知の目的地であればより強い誘導によりユーザを集めることができる。
【００１９】
なお、コンテンツは、ナビゲーションなどの誘導用コンテンツに限定されない。すなわち、撮像画像または映像と現在位置とに基づいてユーザを誘導するための動線に沿ったシナリオに従って、本実施形態の情報処理システムのクライアントでもあるビジネスオーナーが作成して登録することによって、マーケッティングの強力な武器となる。
【００２０】
《情報処理システム》
以下、図２Ａ乃至図４Ｂを参照して、本実施形態の情報処理装置を含む情報処理システムの構成および動作を説明する。なお、本実施形態においては、画像のマッチング処理や現在位置による処理をコンテンツ提供サーバとしての情報処理装置において実行する構成として説明する。しかし、高機能で高速処理が可能な携帯端末装置においてマッチング処理や現在位置に基づく処理をして、その結果を情報処理装置に通知する構成であってもよい。
【００２１】
（動作概念）
図２Ａは、本実施形態に係る情報処理装置を含む情報処理システム２００の動作を示す概念図である。
【００２２】
情報処理システム２００においては、情報処理装置としてのコンテンツ提供サーバ２３０に対して、ビジネスオーナーであるクライアントが有するクライアントＰＣ(Personal Computer)２２０から、エンドユーザが携帯する携帯端末装置としてのスマートフォン２１０に提供するサービスが登録される。本実施形態においては、コンテンツ提供処理の開始となる第１起動情報であるターゲット画像と、コンテンツ提供処理の開始となる第２起動情報である現在位置やターゲット位置と、サービスを提供するコンテンツとが登録される。なお、ターゲット位置がターゲット画像から取得可能であれば、クライアントＰＣ２２０からクライアントが登録しなくてもよい。あるいは、クライアントに対して、第２起動情報として現在位置を使用することを設定させるような構成であってもよい。本実施形態の第１起動情報は、現在位置から撮像した画像である。なお、直接誘導目標を示す画像でなくとも、関連画像として登録することで、ユーザを誘引する機会が広がることになる。
【００２３】
また、現在位置の取得はＧＰＳ(Global Positioning System)などからの算出に限らない。例えば、現在位置を表わす撮像画像であってもよいし、交通機関の駅などに配置された装置から位置を表わす情報を受信してもよいし、道路上のゲートなどに配置された装置から位置を表わす情報を受信してもよい。直接誘導目標を示す現在位置でなくとも、関連位置として登録することで、ユーザを誘引する機会が広がることになる。
【００２４】
アプリケーションの起動中に、エンドユーザが携帯する携帯端末装置としてのスマートフォン２１０が有する撮像部（カメラ）により、上記第１起動情報となる現在位置から見える画像を撮像する。スマートフォン２１０が高機能であればスマートフォン２１０において、スマートフォン２１０が高機能でなければコンテンツ提供サーバ２３０において、撮像した画像とあらかじめコンテンツと関連付けて格納されたターゲット画像とが照合される。撮影画像とターゲット画像とが所定範囲で一致すれば、ターゲット画像に対応するターゲット位置を取得する。さらに、スマートフォン２１０から第２起動情報として送信された現在位置がターゲット位置から所定半径内であれば、第１起動情報と第２起動情報とに関連付けられて格納されたコンテンツがコンテンツ提供サーバ２３０からスマートフォン２１０に提供される。なお、携帯端末装置は、スマートフォンに限定されず、タブレットや携帯電話などの他の装置であってもよい。
【００２５】
提供されるコンテンツは、ユーザをビジネス上の目的に誘導するためのマーケッティング動線に沿って制作すると共に、ターゲット画像や選択情報についても誘引機会の広がりや誘引力などを勘案して選択し、登録される。
【００２６】
なお、本実施形態においては、画像または映像の特徴情報として色情報の特徴量を抽出して、画像または映像の照合を行なう例を示す。しかし、画像または映像の特徴量については、照合処理の負荷が少なく、照合結果の信頼度が高い特徴量を使用すればよく、本実施形態の例に限定されない。また、本実施形態においては、提供されたコンテンツをスマートフォン２１０で受信して再生する構成として説明するが、コンテンツ提供サーバ２３０あるいはコンテンツ実行サーバを別途に設けて、サーバ側でコンテンツを実行してその結果をスマートフォン２１０に渡す構成であってもよい。また、照合結果の信頼度に基づいてターゲット画像となる登録画像の信頼度のレベルをクライアントＰＣ２２０に通知する構成を設けてもよい。また、クライアントＰＣ２２０は、スマートフォンやタブレットなどの携帯端末装置であってもよい。また、コンテンツ提供サーバ２３０を１つの機器として説明しているが、コンテンツ提供サーバ２３０が複数のサーバのネットワーク接続により実現されてもよい。例えば、コンテンツ登録サーバやＷｅｂサーバなどが別途にあってもよい。
【００２７】
図２Ｂは、本実施形態に係る情報処理システム２００における携帯端末装置としてのスマートフォン２１０の動作を示す図である。
【００２８】
スマートフォン２１０には、本実施形態の撮像情報がコンテンツ提供条件を満たしている場合にコンテンツを提供するためのアプリケーションが、ダウンロードされてインストールされる。そして、本実施形態のアプリケーション（図２Ｂでは“BR bonus”）２１１を起動させる。
【００２９】
本実施形態のアプリケーション起動中に、スマートフォン２１０のカメラで、例えば、スカイツリーを含む画像２１２を撮像する。スマートフォン２１０あるいはコンテンツ提供サーバ２３０は、画像２１２内のスカイツリーをその特徴量から判定して、アプリケーションの処理を起動する第１起動情報とする。そして、スカイツリーの位置をターゲット場所２１３として取得する。その時に、スマートフォン２１０はＧＰＳを使って現在位置を算出し、現在位置がターゲット場所２１３から所定距離２１４（図中、２００ｍ）内である条件を第２起動情報とする。この第１起動情報と第２起動情報とに関連付けて、コンテンツ提供サーバ２３０は、誘導先であるスカイツリーまでのナビゲーション２１５を示すビデオコンテンツを実行する。その場合に、ナビゲーションなどの誘導用コンテンツは誘導先であるスカイツリー“●”と現在位置“○”とを含む領域をスマートフォン２１０に表示可能な寸法で提供して、現在位置からスカイツリーまでのナビゲーションを続ける。したがって、ユーザの位置判断を必要とすることなく、現在位置と目標位置とに基づく正確なナビゲーションによる誘導が可能となる。
【００３０】
（構成）
図３Ａは、本実施形態に係る情報処理システム２００の構成を示す図である。
【００３１】
クライアントであるＡ社のクライアントＰＣ２２０は、Ｂ社のコンテンツ提供サーバ２３０である“BR Bonusサーバ”とインターネット３４０を介して接続し、ターゲット画像とコンテンツとを、必要であればターゲット場所をアップロードする。ターゲット画像とコンテンツとは、既存の物を使用してもよいが、Ａ社により撮影して制作した本実施形態に適合したオリジナルを使用するのが望ましい。コンテンツとして、例えば、ＵＲＬアドレスやナビゲーションシステムを埋め込んで、自動的に移行するようにしてもよい。この場合には、ＵＲＬアドレス先からのコンテンツやナビゲーションシステムのコンテンツが、外部プロバイダ３５０から提供されるように構成してもよい。
【００３２】
Ｂ社のコンテンツ提供サーバ２３０には、クライアントＰＣ２２０がアップロードしたターゲット画像とターゲット場所とコンテンツとが関連付けられて登録される。この時に、ターゲット画像から本実施形態に対応する色の特徴量が抽出されて、照合対象および検索キーとされる。なお、Ｂ社はクライアントＰＣ２２０がアップロードしたターゲット画像とコンテンツとを登録するのみでなく、Ｂ社においてＡ社のマーケッティング情報に基づいて、ターゲット画像とコンテンツとを制作して、Ａ社に提供してもよい。なお、実際の建築物や風景などであるターゲット画像の特徴量の変化、例えば、方向、季節、時間、天候の違いによる変化、に対応するため、複数の照合情報を準備してもよいし、ターゲット画像を単純化した形状や描画と照合するようにしてもよい。
【００３３】
エンドユーザのスマートフォン２１０においては、事前に提供された専用アプリケーションをインストールする。そして、アプリケーションを起動する。アプリケーションの起動中に、スマートフォン２１０のカメラによりターゲット画像に向けてスマートフォン２１０をかざして撮像すると、その撮像画像をＢ社のコンテンツ提供サーバ２３０に送信する。なお、スマートフォン２１０が高機能で画像の特徴量を抽出して照合できる場合は、現在位置周辺のターゲット画像の特徴量を配信して、照合結果のみをＢ社のコンテンツ提供サーバ２３０に送信する構成であってもよい。また、スマートフォン２１０は、ＧＰＳなどにより現在位置を算出して、コンテンツ提供サーバ２３０に送信する。
【００３４】
Ｂ社のコンテンツ提供サーバ２３０は、受信した撮像画像の特徴量の抽出、あらかじめ格納したターゲット画像の特徴量との照合をし、所定範囲内で一致すれば、ターゲット画像に対応するターゲット場所を取得する。そして、現在位置がターゲット場所から所定距離内であれば、ターゲット画像とターゲット場所とに関連付けられたコンテンツのスマートフォン２１０への配信、を実行する。エンドユーザのスマートフォン２１０は、ターゲット画像とターゲット場所とに関連付けられたコンテンツをコンテンツ提供サーバ２３０から受信して再生し、エンドユーザをマーケッティングの目的に沿って誘引して誘導する。
【００３５】
図３Ｂは、本実施形態に係る情報処理システム２００における登録情報を示す図である。なお、第１起動情報３６０、第２起動情報３７０、コンテンツ３８０の内容は図３Ｂに限定されない。
【００３６】
本実施形態においては、第１起動情報３６０として、カラー画像情報が登録される。第２起動情報３７０として、位置情報が登録される。また、コンテンツ３８０として、テキスト、画像、音声、動画、３Ｄ表示、ナビゲーション、Webリンク（ＵＲＬ）などが登録される。
【００３７】
（コンテンツ登録シーケンス）
図４Ａは、本実施形態に係る情報処理システム２００におけるコンテンツ登録処理の手順を示すシーケンス図である。
【００３８】
ステップＳ４１１において、クライアントＰＣ２２０とコンテンツ提供サーバ２３０との間で通信を確立する。次に、ステップＳ４１３において、コンテンツ提供サーバ２３０あるいは認証サーバ（不図示）によりクライアントＰＣ２２０およびクライアントの認証処理が行なわれる。
【００３９】
ステップＳ４１５において、クライアントＰＣ２２０は、コンテンツ提供サーバ２３０に対してコンテンツのアップロードを行ない、コンテンツ提供サーバ２３０は、コンテンツを登録する。
【００４０】
ステップＳ４１９において、クライアントＰＣ２２０は、コンテンツ提供サーバ２３０に対して第１起動情報を設定する。必要であれば、第２起動情報としてターゲット場所を設定する。コンテンツ提供サーバ２３０は、第１起動情報と第２起動情報とコンテンツとを、第１起動情報および第２起動情報により検索可能に関連付けて登録する。本実施形態においては、第１起動情報はターゲット画像であり、画像データそのものでなく、色の特徴量により格納される。
【００４１】
なお、ステップＳ４１５とＳ４１９の順番は、逆であってもよい。
【００４２】
（コンテンツ提供シーケンス）
図４Ｂは、本実施形態に係る情報処理システム２００におけるコンテンツ提供処理の手順を示すシーケンス図である。なお、図４Ｂにおいては、コンテンツ提供サーバ２３０において、画像の特徴量を抽出して画像マッチング（照合）を行なうシーケンスを示すが、高機能であればスマートフォン２１０で画像特徴量の照合を行なってもよい。
【００４３】
ステップＳ４２１において、エンドユーザのスマートフォン２１０と、コンテンツ提供サーバ２３０との間で通信を確立する。次に、ステップＳ４２３において、コンテンツ提供サーバ２３０あるいは認証サーバ（不図示）によりスマートフォン２１０およびエンドユーザの認証処理が行なわれる。認証されると、ステップＳ４２５において、スマートフォン２１０はコンテンツ提供サーバ２３０から、アプリケーションをダウンロードする。
【００４４】
エンドユーザは、本実施形態のサービス提供を受けようとした場合に、ステップ４３１において、ダウンロードしたアプリケーションを起動する。そして、アプリケーションを起動中にスマートフォン２１０のカメラで撮像して、ステップＳ４３３において、撮像画像をコンテンツ提供サーバ２３０に送信する。コンテンツ提供サーバ２３０は、ステップＳ４３５において、スマートフォン２１０から受信した撮像画像の特徴量を抽出して、コンテンツ提供サーバ２３０にあらかじめ格納されたターゲット画像の特徴量と照合する。
【００４５】
スマートフォン２１０は、ステップＳ４３７において、ＧＰＳなどに基づいて現在位置を算出してコンテンツ提供サーバ２３０に送信する。そして、コンテンツ提供サーバ２３０は、撮像画像の特徴量とターゲット画像の特徴量とが所定範囲で一致すれば、ターゲット画像に対応するターゲット場所を取得し、ステップＳ４３９において、現在位置がターゲット場所から所定距離内であるかを判定する。現在位置がターゲット場所から所定距離内であれば、コンテンツ提供サーバ２３０は、ステップＳ４４１において、ターゲット画像とターゲット場所とに関連付けられたコンテンツを検索する。コンテンツ提供サーバ２３０は、ステップＳ４４５において、検索して取得したコンテンツをスマートフォン２１０に送信し、スマートフォン２１０は受信したコンテンツを再生してエンドユーザに通知する。なお、図４Ｂにおいては、コンテンツがコンテンツ提供サーバ２３０に無いため、ステップＳ４４３において、外部プロバイダ３５０から提供される例を図示している。なお、コンテンツが再生中に現在位置情報を使用するものであってもよい。
【００４６】
《コンテンツ提供サーバの機能構成》
図５Ａは、本実施形態に係る情報処理装置としてのコンテンツ提供サーバ２３０の機能構成を示すブロック図である。
【００４７】
コンテンツ提供サーバ２３０は、通信制御部５０１と、登録情報受信部５０２と、提供コンテンツデータベース５０３と、ユーザ登録部５０４と、アプリケーション送信部５０５と、を備える。コンテンツ提供サーバ２３０は、さらに、画像特徴照合部５０６と、現在位置判定部５１０と、コンテンツ取得部５０７と、コンテンツ送信部５０８と、コンテンツ受信部５０９と、を備える。なお、提供コンテンツデータベース５０３は、コンテンツ提供サーバ２３０に含まれずに、別途、専用のサーバを外部に設けてもよい。
【００４８】
通信制御部５０１は、コンテンツ提供サーバ２３０と、エンドユーザのスマートフォン２１０、ビジネスオーナーのクライアントＰＣ２２０、または、外部プロバイダ３５０との通信を制御する。登録情報受信部５０２は、クライアントを認証する認証部を有し、クライアントＰＣ２２０から送信されるターゲット画像とコンテンツとを受信し、提供コンテンツデータベース５０３に関連付けた登録を指示する。提供コンテンツデータベース５０３は、クライアントＰＣ２２０から送信されたターゲット画像とコンテンツとを関連付けて登録する。また、提供コンテンツデータベース５０３は、ターゲット画像とターゲット場所とコンテンツとの関連付けをテーブルとして記憶する。そして、ターゲット画像に一致した撮像画像をスマートフォン２１０から受信すると、ターゲット画像とターゲット場所とに関連付けられたコンテンツを検索して、コンテンツ取得部５０７に渡す。ユーザ登録部５０４は、エンドユーザを認証する認証部を有し、本情報処理システムのサービスを受けるユーザを登録する。そして、アプリケーション送信部５０５は、認証されたエンドユーザのスマートフォン２１０に、アプリケーションを送信する。
【００４９】
画像特徴照合部５０６は、スマートフォン２１０から受信した撮像画像の特徴量を抽出し、提供コンテンツデータベース５０３に登録されたターゲット画像の特徴量と照合する。そして、特徴量が所定範囲内で一致すれば、その結果を現在位置判定部５１０に渡す。現在位置判定部５１０は、画像特徴照合部５０６からの一致結果を受けてターゲット画像に対応するターゲット場所を取得し、スマートフォン２１０から現在位置情報を受信して、現在位置がターゲット場所から所定距離内であることを判定する。現在位置判定部５１０は、現在位置がターゲット場所から所定距離内であれば、コンテンツ取得部５０７に対して、提供コンテンツデータベース５０３からターゲット画像およびターゲット場所に関連付けられたコンテンツの取得を指示する。また、現在位置判定部５１０は、コンテンツ送信部５０８に対して、コンテンツ取得部５０７が提供コンテンツデータベース５０３から取得したコンテンツの送信を指示する。コンテンツ取得部５０７は、現在位置判定部５１０からのコンテンツ取得指示に基づいて、提供コンテンツデータベース５０３からターゲット画像およびターゲット場所に関連付けられたコンテンツを取得する。コンテンツ取得部５０７は、コンテンツが外部プロバイダ３５０から提供される場合、コンテンツ受信部５０９により外部プロバイダ３５０から受信したコンテンツを取得する。コンテンツ送信部５０８は、コンテンツ取得部５０７が取得した、ターゲット画像および現在位置に関連付けられたコンテンツをスマートフォン２１０に送信する。コンテンツ受信部５０９は、外部プロバイダ３５０からコンテンツを受信して、コンテンツ取得部５０７に渡す。
【００５０】
なお、図５Ａにおいては、画像特徴照合部５０６と現在位置判定部５１０とが順次に処理を行なう構成を示したが、画像特徴照合部５０６の照合結果と現在位置判定部５１０の判定結果とを入力して、論理積によりコンテンツの取得を判定する機能を有する機能構成部を設けたり、コンテンツ取得部５０７にその機能を付加したり、他の構成によっても実現が可能であり、図５Ａの構成に限定されない。
【００５１】
（画像特徴照合部）
図５Ｂは、本実施形態に係る画像特徴照合部５０６の機能構成を示すブロック図である。
【００５２】
画像特徴照合部５０６は、画像受信部５６１と、特徴抽出部５６２と、登録特徴量取得部５６３と、特徴量照合部５６４と、ターゲット場所取得指示部５６５と、オプショナルな照合信頼度判定部５６６と、を有する。
【００５３】
画像受信部５６１は、通信制御部５０１を介してスマートフォン２１０が撮像した画像を受信する。特徴抽出部５６２は、スマートフォン２１０が撮像した画像の特徴量を抽出する。登録特徴量取得部５６３は、提供コンテンツデータベース５０３に登録されたターゲット画像の特徴量を順次に取得する。特徴量照合部５６４は、スマートフォン２１０が撮像した画像の特徴量と、ターゲット画像の特徴量とを照合して、所定範囲内で一致すれば、ターゲット場所取得指示部５６５に通知する。ターゲット場所取得指示部５６５は、特徴量照合部５６４からの特徴量の一致通知に基づいて、現在位置判定部５１０に対してターゲット場所の取得を指示する。オプショナルな照合信頼度判定部５６６は、特徴量照合部５６４における照合信頼性を判定して、ターゲット画像の照合信頼性の向上のために、ターゲット画像を制作するＡ社やＢ社にフィードバックする。
【００５４】
（現在位置判定部）
図５Ｃは、本実施形態に係る現在位置判定部５１０の機能構成を示すブロック図である。図５Ｃは、コンテンツ提供サーバ２３０の現在位置判定部５１０が、スマートフォン２１０から受信した現在位置を参照してコンテンツ提供処理を開始させる処理を行なう場合である。
【００５５】
現在位置受信部５１１は、通信制御部５０１を介してスマートフォン２１０が算出した現在位置を受信する。ターゲット場所取得部５１２は、画像特徴照合部５０６のターゲット場所取得指示部５６５からのターゲット場所所得の指示に従って、提供コンテンツデータベース５０３からターゲット場所を取得する。判定部５１３は、現在位置受信部５１１が受信した現在位置が、ターゲット場所取得部５１２が取得したターゲット場所から所定距離Ｄ内か否かを判定して、現在位置がターゲット場所から所定距離Ｄ内であれば、コンテンツ提供指示部５１４にコンテンツの提供を通知する。コンテンツ提供指示部５１４は、ターゲット画像およびターゲット場所に関連付けられて提供コンテンツデータベース５０３に登録されたコンテンツをスマートフォン２１０に提供するように、提供コンテンツデータベース５０３とコンテンツ取得部５０７とコンテンツ送信部５０８に指示する。
【００５６】
（提供コンテンツデータベース）
図６は、本実施形態に係る提供コンテンツデータベース５０３の構成を示す図である。提供コンテンツデータベース５０３は、第１起動情報としてのターゲット画像と第２起動情報としてのターゲット場所と提供するコンテンツとを関連付ける関連テーブル６１０と、各コンテンツを格納するコンテンツ格納部６２０とを有する。なお、提供コンテンツデータベース５０３の構成は図６に限定されない。
【００５７】
関連テーブル６１０は、第１起動情報（本例では、現在位置から撮像した画像と照合するターゲット画像）６１１と、第２起動情報（本例では、現在位置との距離を算出するターゲット場所）６１２とに対応付けて、提供コンテンツＩＤ６１４を記憶する。関連テーブル６１０は、さらに、起動情報と提供コンテンツとを制作したあるいは選択した、また、現在位置情報をどのように反映させるかなどの、エンドユーザの誘導シナリオ（マーケッティング動線）６１５と、かかる関連情報を登録したクライアントのクライアントＩＤ６１６とを記憶する。なお、図６には、現在位置とターゲット場所との距離を判定する閾値である第２起動条件６１３も記憶している。第２起動条件６１３に変化がない場合は記憶しなくてもよい。一方、画像の照合における類似の閾値に対象画像により変化がある場合は、第１起動条件として記憶してもよい。
【００５８】
コンテンツ格納部６２０は、コンテンツＩＤ６２１に対応付けて、コンテンツ６２２と外部コンテンツＩＤ６２３とを記憶する。外部コンテンツＩＤ６２３が記憶されている場合は、外部プロバイダ３５０からの提供となる。コンテンツ格納部６２０は、さらに、コンテンツの使用言語６２４を記憶する。使用言語６２４を記憶することにより、誘導するエンドユーザが携帯するスマートフォン２１０などが使用する言語を判定して、対応する言語のコンテンツを提供できる。
【００５９】
《スマートフォンの機能構成》
図７は、本実施形態に係る携帯端末装置としてのスマートフォン２１０の機能構成を示すブロック図である。
【００６０】
スマートフォン２１０は、通信制御部７０１と、ユーザ登録部７０２と、アプリケーション取得部７０３と、アプリケーション実行部７０４と、撮像部（カメラ）７０５と、現在位置算出部（ＧＰＳ）７０６と、出力部７０７と、入力部７０８と、を備える。
【００６１】
通信制御部７０１は、ネットワークを介するコンテンツ提供サーバ２３０との通信を制御する。ユーザ登録部７０２は、ユーザ情報を格納し、コンテンツ提供サーバ２３０に対してユーザの登録を要求する。アプリケーション取得部７０３は、ユーザが認証され登録されると、コンテンツ提供サーバ２３０からダウンロードしたアプリケーションを取得する。アプリケーション実行部７０４は、ダウンロードされた本実施形態のアプリケーションを実行して、ターゲット画像と現在位置とに関連付けられたコンテンツとを受信再生するよう、スマートフォン２１０を動作させる。
【００６２】
撮像部（カメラ）７０５は、撮像処理により画像または映像を取得する。本アプリケーションの実行中であれば、撮像した画像または映像をターゲット画像と照合するために、アプリケーションに渡す。現在位置算出部（ＧＰＳ）７０６は、スマートフォン２１０の現在位置を算出する。本アプリケーションの実行中であれば、コンテンツの選択時とナビゲーション中とに現在位置情報をアプリケーションに渡す。出力部７０７は、表示部と音声出力部とを有する。表示部はアプリケーション起動のメニュー表示などの操作画面、あるいは、撮像時のモニタ、あるいは、コンテンツ再生画面、として使用される。また、音声出力部はスピーカであって、ユーザ指示音声、あるいは、コンテンツ再生音声やナビゲーション音声を出力する。入力部は、操作部と音声入力部とを有する。操作部はタッチパネルを含み、ユーザの操作指示を入力する。音声入力部は少なくとも１つのマイクであって、ユーザの操作音声を入力する。
【００６３】
（アプリケーション実行部）
アプリケーション実行部７０４は、画像情報送信部７４１と、画像特徴抽出部７４２と、位置情報送信部７４３と、コンテンツ受信部７４５と、コンテンツ再生部７４６と、コンテンツ終了通知部７４７と、を有する。
【００６４】
画像情報送信部７４１は、撮像部７０５が撮像した画像または映像、あるいは、画像特徴抽出部７４２で抽出された画像や映像の特徴量を、コンテンツ提供サーバ２３０に送信する。オプショナルの画像特徴抽出部７４２は、撮像部７０５が撮像した画像または映像の特徴量、本例では色の特徴量を抽出する。位置情報送信部７４３は、現在位置算出部７０６が算出した現在位置をコンテンツ提供サーバ２３０に送信する。
【００６５】
コンテンツ受信部７４５は、コンテンツ提供サーバ２３０からターゲット画像に関連付いたコンテンツを受信する。コンテンツ再生部７４６は、コンテンツ受信部７４５が受信したコンテンツを再生して、出力部７０７に出力する。コンテンツ終了通知部７４７は、コンテンツ再生部７４６でのコンテンツの再生が終了したことを、コンテンツ提供サーバ２３０に通知する。
【００６６】
《コンテンツ提供サーバのハードウェア構成》
図８は、本実施形態に係るコンテンツ提供サーバ２３０のハードウェア構成を示すブロック図である。
【００６７】
図８で、ＣＰＵ(Central Processing Unit)８１０は演算制御用のプロセッサであり、プログラムを実行することで図５Ａの機能構成部を実現する。ＲＯＭ(Read Only Memory)８２０は、初期データおよびプログラムなどの固定データおよびプログラムを記憶する。通信制御部５０１は、コンテンツ提供サーバ２３０と他の装置との通信を制御する。
【００６８】
ＲＡＭ(Random Access Memory)８４０は、ＣＰＵ８１０が一時記憶のワークエリアとして使用するランダムアクセスメモリである。ＲＡＭ８４０には、本実施形態の実現に必要なデータを記憶する領域が確保されている。登録画像／登録画像特徴量８４１は、クライアントＰＣ２２０から登録指示された第１起動画像（ターゲット画像やその特徴量）を記憶する。登録コンテンツ８４２は、クライアントＰＣ２２０から登録指示されたコンテンツを記憶する。受信画像／受信画像特徴量８４３は、スマートフォン２１０から受信した、ターゲット画像と照合される撮像画像やその特徴量を記憶する。画像照合結果（画像ＩＤ）８４４は、登録画像特徴量８４１と受信画像特徴量８４３とを照合した結果を記憶する。照合結果において所定範囲内で一致すれば、画像照合結果（画像ＩＤ）８４４には提供するコンテンツを検索するための画像ＩＤも記憶される。ターゲット場所８４５は、ターゲット画像に対応して提供コンテンツデータベース５０３から取得されたターゲット場所を記憶する。現在位置８４６は、スマートフォン２１０から受信した現在位置を記憶する。現在位置判定結果８４７は、現在位置８４６がターゲット場所から所定距離内か否かの判定結果を記憶する。提供コンテンツ８４８は、受信画像がターゲット画像に所定範囲内で一致し、現在位置８４６がターゲット場所から所定距離内の場合に、提供するコンテンツを記憶する。送受信データ８４９は、通信制御部５０１を介して送受信するデータを記憶する。
【００６９】
ストレージ８５０には、データベースや各種のパラメータ、あるいは本実施形態の実現に必要な以下のデータまたはプログラムが記憶されている。提供コンテンツデータベース５０３は、起動画像と現在位置とコンテンツとを関連付けて登録するデータベースである。ストレージ８５０には、以下のプログラムが格納される。コンテンツ提供サーバ制御プログラム８５１は、コンテンツ提供サーバ２３０の全体を制御するプログラムである。コンテンツ登録モジュール８５２は、クライアントＰＣ２２０から登録要求された、第１起動情報および第２起動情報とコンテンツとを関連付けて提供コンテンツデータベース５０３に登録するためのモジュールである。起動情報判定モジュール８５３は、スマートフォン２１０から送信された撮像画像または映像と現在位置とがコンテンツを提供するトリガとなる第１および第２起動情報となるかを判定するモジュールである。コンテンツ提供モジュール８５４は、スマートフォン２１０から送信された撮像画像または映像と現在位置とがコンテンツを提供するための第１および第２起動情報となれば、提供コンテンツデータベース５０３から検索したコンテンツを提供するモジュールである。
【００７０】
なお、図８のＲＡＭ８４０やストレージ８５０には、各サーバが有する汎用の機能や他の実現可能な機能に関連するプログラムやデータは図示されていない。
【００７１】
《コンテンツ提供サーバの処理手順》
図９Ａは、本実施形態に係るコンテンツ提供サーバ２３０の処理手順を示すフローチャートである。このフローチャートは、図８のＣＰＵ８１０がＲＡＭ８４０を用いて実行し、図５Ａの機能構成部を実現する。
【００７２】
コンテンツ提供サーバ２３０は、ステップＳ９１１において、クライアントＰＣ２２０からの起動情報および起動情報に対応するコンテンツの登録要求であるか否かを判定する。起動情報および起動情報に対応するコンテンツの登録要求であれば、コンテンツ提供サーバ２３０は、ステップＳ９１３において、クライアントを認証し、ステップＳ９１５において、提供コンテンツ登録処理を実行する。
【００７３】
起動情報および起動情報に対応するコンテンツの登録要求でなければ、コンテンツ提供サーバ２３０は、ステップＳ９２１において、スマートフォン２１０からのユーザの登録要求であるか否かを判定する。ユーザの登録要求である場合、コンテンツ提供サーバ２３０は、ステップＳ９２３において、ユーザを認証する。そして、コンテンツ提供サーバ２３０は、ステップＳ９２５において、ユーザが携帯するスマートフォン２１０に対してアプリケーションを提供する。
【００７４】
コンテンツの登録要求でもなく、ユーザの登録要求でもなければ、コンテンツ提供サーバ２３０は、ステップＳ９３１において、スマートフォン２１０が実行するアプリケーションに従った起動情報の受信か否かを判定する。アプリケーションに従った起動情報の受信であれば、コンテンツ提供サーバ２３０は、ステップＳ９３３において、ユーザを認証する。そして、コンテンツ提供サーバ２３０は、ステップＳ９３５において、起動情報に対応付けて登録されたコンテンツを提供するコンテンツ提供処理を実行する。
【００７５】
（コンテンツ登録処理）
図９Ｂは、本実施形態に係るコンテンツ登録処理（Ｓ９１５）の手順を示すフローチャートである。
【００７６】
コンテンツ提供サーバ２３０は、ステップＳ９４１において、認証されたクライアントに対してクライアントＩＤを付与する。コンテンツ提供サーバ２３０は、ステップＳ９４３において、クライアントＩＤと共にクライアントＰＣ２２０からコンテンツを取得する。
【００７７】
コンテンツ提供サーバ２３０は、ステップＳ９４７において、クライアントＰＣ２２０から第１起動情報としてのターゲット画像を取得する。コンテンツ提供サーバ２３０は、ステップＳ９４９において、取得したターゲット画像の特徴量を抽出する。コンテンツ提供サーバ２３０は、ステップＳ９５１において、第２起動情報としてのターゲット場所を取得する。なお、ターゲット場所は、クライアントＰＣ２２０から受信されてもよいし、コンテンツ提供サーバ２３０において見付けてもよい。そして、コンテンツ提供サーバ２３０は、ステップＳ９５３において、ターゲット画像の特徴量とターゲット場所とに関連付けて、コンテンツを登録して、クライアントＰＣ２２０に登録完了を通知する。
【００７８】
（コンテンツ提供処理）
図９Ｃは、本実施形態に係るコンテンツ提供処理（Ｓ９３５）の手順を示すフローチャートである。
【００７９】
コンテンツ提供サーバ２３０は、ステップＳ９６１において、起動情報として、ユーザが掲げたスマートフォン２１０により撮像した画像または映像を取得する。コンテンツ提供サーバ２３０は、ステップＳ９６３において、撮像画像そのものを取得した場合は特徴量を抽出した後、特徴量を取得した場合はその特徴量と、あらかじめ登録されたターゲット画像の特徴量とを照合して、所定範囲内で一致するか否かを判定する。なお、特徴量のマッチング処理をスマートフォン２１０で実行可能な場合は、照合結果を取得することになる。一致するターゲット画像の特徴量がない場合は、取得した撮像画像が起動情報ではないとして、何もせずにリターンする。なお、スマートフォン２１０に一致しない旨を通知してもよい。
【００８０】
一致するターゲット画像の特徴量が見付かった場合、コンテンツ提供サーバ２３０は、オプショナルなステップＳ９６５において、スマートフォン２１０などの携帯端末装置から言語情報から使用言語を判定する。そして、以降の取得コンテンツ時に判定された使用言語に対応したコンテンツを取得する、あるいは、コンテンツを使用言語に翻訳するよう制御する。コンテンツ提供サーバ２３０は、ステップＳ９６７において、ターゲット画像に対応するターゲット場所を取得する。
【００８１】
コンテンツ提供サーバ２３０は、ステップＳ９６９において、スマートフォン２１０から現在位置情報を受信する。次に、コンテンツ提供サーバ２３０は、ステップＳ９７１において、第１起動情報のターゲット画像および第２起動情報のターゲット場所に関連付けられたコンテンツを提供コンテンツデータベース５０３から取得する。そして、コンテンツ提供サーバ２３０は、ステップＳ９７３において、取得したコンテンツをスマートフォン２１０に提供する。
【００８２】
《スマートフォンのハードウェア構成》
図１０は、本実施形態に係るスマートフォン２１０のハードウェア構成を示すブロック図である。
【００８３】
図１０で、ＣＰＵ１０１０は演算制御用のプロセッサであり、プログラムを実行することで図７のスマートフォン２１０の機能構成部を実現する。ＲＯＭ１０２０は、初期データおよびプログラムなどの固定データおよびプログラムを記憶する。通信制御部７０１は、本実施形態においてはコンテンツ提供サーバ２３０との通信を制御する。
【００８４】
ＲＡＭ１０４０は、ＣＰＵ１０１０が一時記憶のワークエリアとして使用するランダムアクセスメモリである。ＲＡＭ１０４０には、本実施形態の実現に必要なデータを記憶する領域が確保されている。コンテンツ提供サーバアドレス１０４１は、コンテンツ提供サーバ２３０のＩＰアドレスを記憶する。登録情報１０４２は、コンテンツ提供サーバ２３０に登録する端末情報やユーザ情報を記憶する。撮像画像（特徴量）１０４３は、アプリケーション起動中に撮像部（カメラ）７０５が撮像した画像または映像やその特徴量を記憶する。画像照合フラグ１０４４は、オプショナルな情報であり、本スマートフォン２１０が画像のマッチングを実行可能な場合に、撮像画像とターゲット画像との一致を記憶する。現在位置情報１０４５は、現在位置算出部７０６が算出した現在位置を記憶する。受信コンテンツ１０４６は、撮像画像とターゲット画像とが一致し、現在位置がターゲット場所から所定距離内だった場合に検索されて受信した、コンテンツを記憶する。入出力データ１０４７は、入出力インタフェース１０６０を介して入出力デバイスで入出力されるデータを記憶する。送受信データ１０４８は、通信制御部７０１を介してコンテンツ提供サーバ２３０と送受信するデータを記憶する。
【００８５】
ストレージ１０５０には、データベースや各種のパラメータ、あるいは本実施形態の実現に必要な以下のデータまたはプログラムが記憶されている。画像照合用データ１０５１は、本スマートフォン２１０が画像のマッチングを実行可能な場合に、ターゲット画像またはその特徴量をコンテンツ提供サーバ２３０から取得して保持するデータである。ストレージ１０５０には、以下のプログラムが格納される。スマートフォン制御プログラム１０５２は、本スマートフォンの全体を制御するプログラムである。アプリケーションプログラム１０５３は、ダウンロードされたコンテンツ取得用のアプリケーションである。撮像画像送信モジュール１０５４は、アプリケーションプログラム１０５３に含まれ、撮像部７０５で撮像した画像または映像、あるいは特徴量や照合結果をコンテンツ提供サーバ２３０に送信するモジュールである。オプショナルの特徴量抽出モジュール１０５５は、アプリケーションプログラム１０５３に含まれ、本スマートフォン２１０で撮像画像の特徴量を抽出するためのモジュールである。オプショナルの画像照合モジュール１０５６は、アプリケーションプログラム１０５３に含まれ、本スマートフォン２１０が画像のマッチングを実行可能な場合に、撮像画像とターゲット画像とを照合して第１起動情報として判定するモジュールである。現在位置送信モジュール１０５７は、アプリケーションプログラム１０５３に含まれ、現在位置算出部７０６が算出した現在位置情報をコンテンツ提供サーバ２３０に送信するモジュールである。コンテンツ受信再生モジュール１０５８は、アプリケーションプログラム１０５３に含まれ、撮像した画像または映像と現在位置とに基づいて、第１および第２起動情報に関連付けて取得されたコンテンツをコンテンツ提供サーバ２３０から受信して再生するモジュールである。
【００８６】
入出力インタフェース１０６０は、入出力デバイスとのデータ入出力を制御するためのインタフェースを行なう。本実施形態においては、入出力インタフェース１０６０には、表示部と音声出力部とを含む出力部７０７と、操作部と音声入力部とを含む入力部７０８と、が接続される。入出力インタフェース１０６０には、さらに、撮像部（カメラ）７０５と現在位置算出部（ＧＰＳ）７０６、などが接続される。
【００８７】
なお、図１０のＲＡＭ１０４０やストレージ１０５０には、スマートフォン２１０が有する汎用の機能や他の実現可能な機能に関連するプログラムやデータは図示されていない。
【００８８】
《スマートフォンの処理手順》
図１１Ａは、本実施形態に係るスマートフォン２１０の処理手順を示すフローチャートである。このフローチャートは、図１０のＣＰＵ１０１０がＲＡＭ１０４０を用いて実行し、図７の機能構成部を実現する。
【００８９】
スマートフォン２１０は、ステップＳ１１１１において、コンテンツ提供サーバ２３０が提供するサービスへのユーザ登録を要求するか否かを判定する。ユーザ登録を要求する場合、スマートフォン２１０は、ステップＳ１１１３において、ユーザ情報をコンテンツ提供サーバ２３０に送信する。スマートフォン２１０は、ステップＳ１１１５において、ユーザ認証および登録が完了して、コンテンツ提供サーバ２３０から送信される当該サービスのアプリケーションをダウンロードする。そして、スマートフォン２１０は、ステップＳ１１１７において、アプリケーションを起動させるアイコンを表示する。
【００９０】
ユーザ登録の要求でない場合、スマートフォン２１０は、ステップＳ１１２１において、アプリケーションの起動指示か否かを判定する。アプリケーションの起動指示があった場合、スマートフォン２１０は、ステップＳ１１２３において、アプリケーションの実行処理を行なう。
【００９１】
ユーザ登録の要求でなく、アプリケーションの起動指示でもない場合、スマートフォン２１０は、ステップＳ１１３１において、他のアプリケーション選択か否かを判定する。他のアプリケーション選択の場合、スマートフォン２１０は、ステップＳ１１３３において、他のアプリケーションを実行する。
【００９２】
（アプリケーション実行処理）
図１１Ｂは、本実施形態に係るアプリケーション実行処理（Ｓ１１２３）の手順を示すフローチャートである。
【００９３】
アプリケーションが起動された後の任意のタイミングで、スマートフォン２１０は、ステップＳ１１４１において、撮像部（カメラ）により画像または映像を撮像して撮像画像を取得する。スマートフォン２１０は、オプショナルなステップＳ１１４３において、ターゲット画像との照合を行なう。スマートフォン２１０が画像照合機能を有する場合、スマートフォン２１０は、ステップＳ１１４５において、照合結果をコンテンツ提供サーバ２３０に送信する。一方、スマートフォン２１０が画像照合機能を有しない場合、スマートフォン２１０は、ステップＳ１１４５において、取得した撮像画像またはその特徴量をコンテンツ提供サーバ２３０に送信する。続いて、スマートフォン２１０は、ステップＳ１１４７において、現在位置を取得し、ステップＳ１１４９において、現在位置情報をコンテンツ提供サーバ２３０に送信する。なお、スマートフォン２１０は、コンテンツ提供サーバ２３０からターゲット場所を受信して、スマートフォン２１０で現在位置との距離が所定距離内か否かを判定して、判定結果をコンテンツ提供サーバ２３０に通知する構成であってもよい。
【００９４】
スマートフォン２１０は、ステップＳ１１５１において、撮像画像および現在位置に関連付けられたコンテンツのコンテンツ提供サーバ２３０からの受信を待つ。その間に、スマートフォン２１０は、ステップＳ１１５３において、コンテンツ提供サーバ２３０からの起動条件不成立の通知を待つ。コンテンツ提供サーバ２３０からの起動条件不成立の通知があれば、起動条件を満たす画像でなかったとしてステップＳ１１４１に戻って次の撮像を待つ。なお、コンテンツ提供サーバ２３０が起動条件不成立の通知をしない構成であれば、タイムアウトを判定するステップを追加すればよい。
【００９５】
コンテンツ提供サーバ２３０からのコンテンツの受信があれば、スマートフォン２１０は、ステップＳ１１５５において、受信したコンテンツを再生する。次に、スマートフォン２１０は、ステップＳ１１５７において、アプリケーションの終了が指示されたか否かを判定する。アプリケーションの終了が指示されなければ、スマートフォン２１０は、ステップＳ１１４１に戻って、次の撮像画像を待つ。アプリケーションの終了が指示されれば、アプリケーションを終了する。
【００９６】
本実施形態によれば、第１起動情報であるユーザの位置から撮像できる建築物や風景の画像情報に加えて、第２起動情報としての現在位置に基づいてコンテンツを検索して携帯端末装置に提供するので、携帯端末装置を携帯するユーザを効率的に誘導することができる。
【００９７】
［第３実施形態］
次に、本発明の第３実施形態に係る情報処理装置を含む情報処理システムについて説明する。本実施形態に係る情報処理システムは、上記第２実施形態と比べると、第１起動情報が現在位置に関係し、第２起動情報が媒体上から撮像された画像に関係し、配信されるコンテンツが２つになった点で異なる。その他の構成および動作は、第２実施形態と同様であるため、同じ構成および動作については同じ符号を付してその詳しい説明を省略する。
【００９８】
《情報処理システム》
以下、図１２Ａ乃至図１３を参照して、本実施形態の情報処理装置を含む情報処理システムの構成および動作を説明する。
【００９９】
（動作概念）
図１２Ａは、本実施形態に係る情報処理装置を含む情報処理システム１２００の動作を示す概念図である。なお、図１２Ａにおいて、図２Ａと同様の構成要素には同じ参照番号を付して、説明を省略する。
【０１００】
本実施形態の第１起動情報は、スマートフォン２１０が算出した現在位置に関係する。アプリケーションの起動中に、スマートフォン２１０の現在位置から所定距離内となったターゲット場所を見付けて、そのターゲット場所を表わすターゲット画像が取得される。なお、現在位置から所定距離内となったターゲット場所が複数あれば、複数のターゲット画像が取得される。
【０１０１】
本実施形態の第２起動情報は、紙媒体上から撮像した画像に関係する。なお、媒体上の画像は、紙で代表させたが他の印刷可能な媒体であってもよいし、さらに、標識などの金属媒体上の塗装であってもよい。紙媒体の画像としては、例えば、宣伝用のパンフレット上あるいは雑誌中の建築物写真（会社、店など）や商品写真、催し物情報を含む印刷画像、などが考えられるが、これらに限定されない。直接誘導目標を示す画像でなくとも、関連画像として登録することで、ユーザを誘引する機会が広がることになる。
【０１０２】
アプリケーションの起動中に、エンドユーザが携帯する携帯端末装置としてのスマートフォン２１０が有する撮像部（カメラ）により、上記第２起動情報となる紙媒体上の画像を撮像する。紙媒体上から撮像した画像と、現在位置に基づいて取得されたターゲット画像とが照合される。撮影画像とターゲット画像とが所定範囲で一致すれば、スマートフォン２１０からの撮像画像と現在位置とに応答して、第１起動情報および第２起動情報に関連付けて格納されたコンテンツがコンテンツ提供サーバ１２３０からスマートフォン２１０に提供される。他は、図２Ａと同様である。
【０１０３】
図１２Ｂは、本実施形態に係る情報処理システム１２００における携帯端末装置としてのスマートフォン２１０の動作を示す図である。なお、図１２Ｂにおいて、図２Ｂと同様の構成要素には同じ参照番号を付して、説明を省略する。すなわち、スマートフォン２１０には、本実施形態のアプリケーション“BR bonus”２１１がインストールされ起動しているとする。
【０１０４】
本実施形態のアプリケーション起動中に、スマートフォン２１０はＧＰＳを使って現在位置を算出してコンテンツ提供サーバ１２３０に送信する。コンテンツ提供サーバ１２３０は、現在位置から所定距離（図１２Ｂでは２００ｍ）内のターゲット場所を見付け、対応するターゲット画像を取得する。図１２Ｂにおいては、２箇所のターゲット場所（スカイツリーと雷門）が所定距離内に見付かった例を示す。次に、ユーザは、スマートフォン２１０のカメラで、例えば、観光パンフレットあるいは雑誌１２１４の画像１２１５を撮像する。スマートフォン２１０あるいはコンテンツ提供サーバ１２３０は、画像１２１５内の雷門をその特徴量から判定して、アプリケーションの処理を開始する。アプリケーションの処理として、ターゲット画像とターゲット場所とに関連付けて、コンテンツ提供サーバ１２３０は、第１コンテンツ１２１６として雷門周囲や雷門に向かう道筋の観光案内を含むビデオを、スマートフォン２１０に提供する。引き続いて、誘導先である雷門までのナビゲーション１２１７を示す第２コンテンツをスマートフォン２１０に提供する。その場合に、ナビゲーションなどの誘導用コンテンツは誘導先である雷門“●”１２１９と現在位置“○”１２１８とを含む領域をスマートフォン２１０に表示可能な寸法で提供して、現在位置から雷門までのナビゲーションを続ける。したがって、ユーザの位置判断を必要としない現在位置と目標位置とに基づく正確なナビゲーションによる誘導が可能となる。
【０１０５】
（構成）
本実施形態に係る情報処理システム１２００の構成は、エンドユーザが携帯するスマートフォン２１０における動作手順が、現在位置から所定距離内のターゲット位置に対応するターゲット画像の取得、媒体上からの撮像画像とターゲット画像に照合、コンテンツの再生、と変更されるが、他は図３Ａと同様であるので図示および説明を省略する。
【０１０６】
《コンテンツ提供サーバの機能構成》
図１３Ａは、本実施形態に係る情報処理装置としてのコンテンツ提供サーバ１２３０の機能構成を示すブロック図である。なお、図１３Ａにおいて、図５Ａと同様の機能構成部には同じ参照番号を付して、説明を省略する。
【０１０７】
コンテンツ提供サーバ１２３０は、本実施形態に特有の、提供コンテンツデータベース１３０３と、現在位置判定部１３１０と、画像特徴照合部１３０６と、を備える。提供コンテンツデータベース１３０３は、ターゲット場所とターゲット画像とコンテンツとの関連付けをテーブルとして記憶する。現在位置判定部１３１０は、スマートフォン２１０から現在位置情報を受信して、現在位置から所定距離内のターゲット場所を提供コンテンツデータベース１３０３から見付けて、ターゲット場所に対応するターゲット画像の取得を画像特徴照合部１３０６に指示する。画像特徴照合部１３０６は、スマートフォン２１０から受信した撮像画像の特徴量を抽出し、提供コンテンツデータベース１３０３から取得したターゲット場所のターゲット画像の特徴量と照合する。そして、画像特徴照合部１３０６は、特徴量が所定範囲内で一致すれば、コンテンツ取得部５０７に対して、提供コンテンツデータベース１３０３からターゲット場所およびターゲット画像に関連付けられたコンテンツの取得を指示する。また、画像特徴照合部１３０６は、コンテンツ送信部５０８に対して、コンテンツ取得部５０７が提供コンテンツデータベース１３０３から取得したコンテンツの送信を指示する。
【０１０８】
なお、図１３Ａにおいては、現在位置判定部１３１０と画像特徴照合部１３０６とが順次に処理を行なう構成を示したが、現在位置判定部１３１０の判定結果と画像特徴照合部１３０６の照合結果とを入力して、論理積によりコンテンツの取得を判定する機能を有する機能構成部を設けたり、コンテンツ取得部５０７にその機能を付加したり、他の構成によっても実現が可能であり、図１３Ａの構成に限定されない。
【０１０９】
（現在位置判定部）
図１３Ｂは、本実施形態に係る現在位置判定部１３１０の機能構成を示すブロック図である。なお、図１３Ｂにおいて、図５Ｃと同じ機能構成部には同じ参照番号を付して、説明を省略する。
【０１１０】
ターゲット場所取得部１３１２は、提供コンテンツデータベース１３０３からターゲット場所を取得する。判定部１３１３は、現在位置受信部５１１が受信した現在位置が、ターゲット場所取得部１３１２が取得したターゲット場所から所定距離Ｄ内かを判定して、現在位置がターゲット場所から所定距離Ｄ内であれば、ターゲット画像取得指示部１３１４にターゲット画像取得を指示する。ターゲット画像取得指示部１３１４は、提供コンテンツデータベース１３０３からターゲット場所に対応するターゲット画像を所得するように、画像特徴照合部１３０６に指示する。
【０１１１】
（画像特徴照合部）
図１３Ｃは、本実施形態に係る画像特徴照合部１３０６の機能構成を示すブロック図である。なお、図１３Ｃにおいて、図５Ｂと同じ機能構成部には同じ参照番号を付して、説明を省略する。
【０１１２】
ターゲット画像特徴量取得部１３６３は、現在位置判定部１３１０からのターゲット画像取得指示に従って、提供コンテンツデータベース１３０３に登録されたターゲット場所に対応するターゲット画像の特徴量を順次に取得する。特徴量照合部５６４は、スマートフォン２１０が撮像した画像の特徴量と、ターゲット場所に対応するターゲット画像の特徴量とを照合して、所定範囲内で一致すれば、コンテンツ提供指示部１３６５に通知する。コンテンツ提供指示部１３６５は、特徴量照合部５６４からの特徴量の一致通知に基づいて、ターゲット場所およびターゲット画像に関連付けられて提供コンテンツデータベース１３０３に登録されたコンテンツをスマートフォン２１０に提供するように、提供コンテンツデータベース１３０３とコンテンツ取得部５０７とコンテンツ送信部５０８に指示する。
【０１１３】
（提供コンテンツデータベース）
図１４は、本実施形態に係る提供コンテンツデータベース１３０３の構成を示す図である。なお、図１４において、図６と同様の構成要素には同じ参照番号を付して、説明を省略する。提供コンテンツデータベース１３０３の構成は図１４に限定されない。
【０１１４】
提供コンテンツデータベース１３０３は、第１起動情報としてのターゲット場所と第２起動情報としての撮像画像と提供するコンテンツとを関連付ける関連テーブル１４１０と、各コンテンツを格納するコンテンツ格納部６２０とを有する。
【０１１５】
関連テーブル１４１０は、第１起動情報（本例では、ターゲット場所）１４１１と第２起動情報（本例では、媒体上の撮像画像に対応するターゲット画像）１４１２とに対応付けて、第１提供コンテンツＩＤ１４１３と第２提供コンテンツＩＤ１４１４とを記憶する。関連テーブル１４１０は、さらに、第１および第２起動情報と２つの提供コンテンツとを制作したあるいは選択したエンドユーザの誘導シナリオ（マーケッティング動線）１４１５と、かかる関連情報を登録したクライアントのクライアントＩＤ６１６とを記憶する。なお、図１４には、現在位置とターゲット場所との距離を判定する閾値である第１起動条件や画像の照合における類似の閾値である第２起動条件は、図示されていないが、条件が変化する場合には記憶してもよい。
【０１１６】
（コンテンツ提供処理）
図１５は、本実施形態に係るコンテンツ提供処理（Ｓ９３５）の手順を示すフローチャートである。なお、図１５において、図９Ｃと同様のステップには同じステップ番号を付して、説明を省略する。
【０１１７】
コンテンツ提供サーバ１２３０は、ステップＳ１５６１において、スマートフォン２１０から現在位置情報を取得する。コンテンツ提供サーバ１２３０は、ステップＳ１５６３において、ターゲット場所からの距離が所定閾値Ｄ内となったターゲット場所を見付ける。見付からない場合は、コンテンツ提供サーバ１２３０は、処理を終了してリターンする。見付かった場合、コンテンツ提供サーバ１２３０は、ステップＳ１５６７において、スマートフォン２１０から媒体上から撮像した撮像画像を取得する。そして、コンテンツ提供サーバ１２３０は、ステップＳ１５６９において、ステップＳ１５６３で見付かった、距離が所定閾値Ｄ内となったターゲット場所に対応するターゲット画像と撮像画像との特徴量を照合する。特徴量が所定範囲内で一致するターゲット画像があれば、コンテンツ提供サーバ１２３０は、ステップＳ１５７１において、ターゲット場所およびターゲット画像に関連付けられたコンテンツを取得する。特徴量が所定範囲内で一致するターゲット画像が無ければ、処理を終了してリターンする。
【０１１８】
本実施形態によれば、第１起動情報としての現在位置に関係するターゲット場所に加えて、第２起動情報としての媒体上から撮像した画像情報に基づいて、順次に複数のコンテンツを検索して携帯端末装置に提供するので、携帯端末装置を携帯するユーザを効率的に誘導することができる。
【０１１９】
［第４実施形態］
次に、本発明の第４実施形態に係る情報処理装置を含む情報処理システムについ説明する。本実施形態に係る情報処理システムは、上記第２実施形態および第３実施形態と比べると、携帯端末装置が撮像する撮像画像および現在位置に加えて、現在日時が考慮されて配信されるコンテンツが選択され、また、３つのコンテンツが配信される点で異なる。その他の構成および動作は、第２実施形態や第３実施形態と同様であるため、同じ構成および動作については同じ符号を付してその詳しい説明を省略する。
【０１２０】
《情報処理システム》
以下、図１６Ａおよび図１６Ｂを参照して、本実施形態の情報処理システムの構成および動作を説明する。
【０１２１】
（動作概念）
図１６Ａは、本実施形態に係る情報処理装置を含む情報処理システム１６００の動作を示す概念図である。なお、図１６Ａにおいて、図２Ａまたは図１２Ａと同様の構成要素には同じ参照番号を付して、説明を省略する。
【０１２２】
本実施形態の第１起動情報は、紙媒体上から撮像した画像である。アプリケーションの起動中に、エンドユーザが携帯する携帯端末装置としてのスマートフォン２１０が有する撮像部（カメラ）により、上記第１起動情報となる紙媒体上の画像を撮像する。紙媒体上から撮像した画像とあらかじめコンテンツと関連付けて格納されたターゲット画像とが照合される。撮影画像とターゲット画像とが所定範囲で一致すれば、次に、スマートフォン２１０からの現在位置情報の送信と現在日時情報の送信とに基づいて第２起動情報について判定する。そして、３つの起動条件を満たせば、格納された３つのコンテンツがコンテンツ提供サーバ１６３０からスマートフォン２１０にシーケンシャルに提供される。他は、図２Ａと同様である。
【０１２３】
図１６Ｂは、本実施形態に係る情報処理システム１６００における携帯端末装置としてのスマートフォン２１０の動作を示す図である。なお、図１６Ｂにおいて、図２Ｂまたは図１２Ｂと同様の構成要素には同じ参照番号を付して、説明を省略する。すなわち、スマートフォン２１０には、本実施形態のアプリケーション“BR bonus”２１１がインストールされ起動しているとする。
【０１２４】
本実施形態のアプリケーション起動中に、スマートフォン２１０のカメラで、例えば、観光パンフレットあるいは雑誌の画像１６１２を撮像する。本実施形態においては、画像１６１２は展示会の開催案内である。スマートフォン２１０あるいはコンテンツ提供サーバ１６３０は、画像１６１２の特徴量から展示会と開催会場や開催日時を判定して、アプリケーションの処理を起動する第１起動情報とする。その時に、スマートフォン２１０はＧＰＳを使って現在位置を算出し、また、計時部が現在日時を算出し、これらを第２起動情報とする。この第１起動情報と複数の第２起動情報とに関連付けて、コンテンツ提供サーバ１６３０は、ターゲット日時である“Ｘ年６月２４日の１０時”から開催されるイベント“ものづくり…”や開催場所“ビッグサイト”などの表示画像１６１５を提供して再生する。次に、1stコンテンツの再生が終了する、あるいは、ユーザの再生スキップ指示があると、イベント会場入口、会場内、誘導ブースのライブビデオ１６１６を2ndコンテンツとして提供して再生する。そして、2ndコンテンツの再生が終了する、あるいは、ユーザの再生スキップ指示があると、ターゲット日時に関連する誘導場所である会場内のブースまでのナビゲーション１６１７を3rdコンテンツとして実行する。したがって、ユーザの位置判断を必要としない現在位置と目標位置とに基づく正確なナビゲーションによる誘導が可能となる。
【０１２５】
《コンテンツ提供サーバの機能構成》
図１７Ａは、本実施形態に係る情報処理装置としてのコンテンツ提供サーバ１６３０の機能構成を示すブロック図である。なお、図１７Ａにおいて、図５Ａと同様の機能構成部には同じ参照番号を付して、説明を省略する。
【０１２６】
提供コンテンツデータベース１７０３は、クライアントＰＣ２２０から送信された、ターゲット画像と現在位置および現在日時と関連付けて、1stコンテンツと2ndコンテンツと3rdコンテンツとを登録する。そして、ターゲット画像と現在位置および現在日時をスマートフォン２１０から受信すると、ターゲット画像と現在位置および現在日時に関連付けられた1stコンテンツと2ndコンテンツと3rdコンテンツとを検索して、コンテンツ取得部５０７に渡す。また、現在位置判定部１７１０は、画像特徴照合部５０６からのターゲット場所取得指示に従って取得したターゲット場所と現在位置との距離が所定範囲内であれば、現在日時判定部１７１１に対して、ターゲット日時の取得を指示する。また、現在日時判定部１７１１は、現在位置判定部５１０からのターゲット日時取得指示に従って取得したターゲット日時と、スマートフォン２１０から受信した現在日時との差が所定時間内の場合に、提供コンテンツデータベース１７０３、コンテンツ取得部５０７、および、コンテンツ送信部５０８に対して、提供コンテンツデータベース１７０３から取得した1stコンテンツと2ndコンテンツと3rdコンテンツとの送信を指示する。
【０１２７】
なお、図１７Ａにおいては、画像特徴照合部５０６と現在位置判定部１７１０と現在日時判定部１７１１が順次に処理を行なう構成を示したが、画像特徴照合部５０６の照合結果と現在位置判定部１７１０の判定結果と現在日時判定部１７１１の判定結果とを入力して、論理積によりコンテンツの取得を判定する機能を有する機能構成部を設けたり、コンテンツ取得部５０７にその機能を付加したり、他の構成によっても実現が可能であり、図１７Ａの構成に限定されない。
【０１２８】
（現在位置判定部）
図１７Ｂは、本実施形態に係る現在位置判定部１７１０の機能構成を示すブロック図である。図１７Ｂにおいて、図５Ｃと同様の機能構成部には同じ参照番号を付して、説明を省略する。ターゲット日時取得指示部１７１４は、ターゲット画像、ターゲット場所およびターゲット日時に関連付けられて提供コンテンツデータベース１７０３に登録されたコンテンツをスマートフォン２１０に提供するように、提供コンテンツデータベース１７０３とコンテンツ取得部５０７とコンテンツ送信部５０８とに指示する。
【０１２９】
（現在日時判定部）
図１７Ｃは、本実施形態に係る現在日時判定部１７１１の機能構成を示すブロック図である。図１７Ｃは、コンテンツ提供サーバ１６３０の現在日時判定部１７１１が、スマートフォン２１０から受信した現在日時を参照してコンテンツ提供処理を開始させる場合の構成である。
【０１３０】
現在日時受信部１７６１は、通信制御部５０１を介してスマートフォン２１０が算出した現在日時を受信する。ターゲット日時取得部１７６２は、現在位置判定部１７１０からのターゲット日時取得指示に従って、提供コンテンツデータベース１７０３からターゲット日時を取得する。判定部１７６３は、現在日時受信部１７６１が受信した現在日時が、ターゲット日時取得部１７６２が取得したターゲット日時までの日時が所定時間Ｔ内かを判定して、現在日時がターゲット日時まで所定時間Ｔ内であれば、コンテンツ提供指示部１７６４にコンテンツの提供を通知する。コンテンツ提供指示部１７６４は、ターゲット画像、ターゲット場所およびターゲット日時に関連付けられて提供コンテンツデータベース１７０３に登録された1stコンテンツと2ndコンテンツと3rdコンテンツとをスマートフォン２１０に提供するように、提供コンテンツデータベース１７０３とコンテンツ取得部５０７とコンテンツ送信部５０８とに指示する。
【０１３１】
（提供コンテンツデータベース）
図１８は、本実施形態に係る提供コンテンツデータベース１７０３の構成を示す図である。なお、図１８において、図６または図１４と同様の構成要素には同じ参照番号を付して、説明を省略する。提供コンテンツデータベース１７０３の構成は図１８に限定されない。
【０１３２】
提供コンテンツデータベース１７０３は、第１起動情報としてのターゲット画像と、第２起動情報としてのターゲット場所およびターゲット日時と、提供するコンテンツとを関連付ける関連テーブル１８１０と、各コンテンツを格納するコンテンツ格納部６２０とを有する。
【０１３３】
関連テーブル１８１０は、第１起動情報（本例では、媒体上の撮像画像に対応するターゲット画像）６１１と第２起動情報（ターゲット場所、ターゲット日時）１８１２とに対応つけて、第１提供コンテンツＩＤ１４１３と第２提供コンテンツＩＤ１４１４と第３提供コンテンツＩＤ１８１４とを記憶する。関連テーブル１８１０は、さらに、第１および第２起動情報と３つの提供コンテンツとを制作したあるいは選択した、また、現在位置情報および現在日時情報をどのように反映させるかなどの、エンドユーザの誘導シナリオ（マーケッティング動線）１８１５と、を記憶する。
【０１３４】
本実施形態によれば、第１起動情報としての撮像した撮像画像と、第２起動情報としての現在位置に加えて、さらに現在日時に基づいて、順次に複数のコンテンツを携帯端末装置に提供するので、携帯端末装置を携帯するユーザを効率的に誘導することができる。
【０１３５】
［第５実施形態］
次に本発明の第５実施形態に係る情報処理装置を含む情報処理システムについて説明する。本実施形態に係る情報処理システムは、上記第２実施形態乃至第４実施形態と比べると、携帯端末装置におけるアプリケーションの処理開始が撮像画像、現在位置および現在日時を含む種々の情報で行なわれると共に、コンテンツの選択情報についても種々の情報で行なわれる点で異なる。その他の構成および動作は、第２実施形態から第４実施形態と同様であるため、同じ構成および動作については同じ符号を付してその詳しい説明を省略する。
【０１３６】
また、本実施形態においては、さらに、アプリケーションの処理開始のトリガが撮像画像、現在位置および現在日時を含む種々の情報、あるいは、その組み合わせの持つ特徴を考慮する。そして、その特徴に合わせて、ユーザの携帯する携帯端末装置に提供するコンテンツの選択や、その提供順序を、各情報やその組み合わせに関連する目的地にユーザを誘導するための動線に沿ったシナリオに従ってあらかじめ選択され登録される。かかる起動情報、選択情報およびコンテンツの組み合わせは、本実施形態の情報処理システムのクライアントでもあるビジネスオーナーが作成して登録することによって、マーケッティングの強力な武器となる。
【０１３７】
（提供コンテンツデータベース）
図１９は、本実施形態に係る提供コンテンツデータベース１９０３の構成を示す図である。図１９には、第１起動情報と第２起動情報と提供する提供コンテンツとを関連付ける関連テーブルのみが図示され、各コンテンツを格納するコンテンツ格納部は省略されている。
【０１３８】
提供コンテンツデータベース１９０３の関連テーブルは、第１起動情報１９１１と第２起動情報１９１２とに関連付けて、提供コンテンツ１９１３と、誘導シナリオ（マーケッティング動線）１９１４と、クライアントＩＤ１９１５と、対応言語１９１６と、を記憶する。対応言語１９１６は、提供コンテンツ１９１３が対応できるスマートフォン２１０の使用言語を示している。
【０１３９】
（登録情報）
図２０は、本実施形態に係る情報処理システムにおける登録情報を示す図である。なお、第１起動情報、第２起動情報、コンテンツ、の内容は図２０に限定されない。
【０１４０】
本実施形態においては、第１起動情報２０６０として、スマートフォンなどの携帯端末装置が取得できる、カラー画像情報、位置情報、日時情報、音声情報、方位情報、加速度情報、速度情報、照度情報、環境情報、生体情報、のいずれか１つまたはその組み合わせが登録される。なお、環境情報は気温や湿度などの情報を含み、生体情報は体温や血圧などを含む。環境情報の取得には温度計や湿度計などが組み込まれる。また、生体情報の取得には温度計や湿度計などが組み込まれ、ウェアラブルな携帯端末装置が好適である。
【０１４１】
第２起動情報２０７０としても、スマートフォンなどの携帯端末装置が取得できる、カラー画像情報、位置情報、日時情報、音声情報、方位情報、加速度情報、速度情報、照度情報、環境情報、生体情報、のいずれか１つまたはその組み合わせが登録される。なお、環境情報は気温や湿度などの情報を含み、生体情報は体温や血圧などを含む。環境情報の取得には温度計や湿度計などが組み込まれる。また、生体情報の取得には温度計や湿度計などが組み込まれ、ウェアラブルな携帯端末装置が好適である。
【０１４２】
1stコンテンツ２０８０または2ndコンテンツ２０９０などとして、テキスト、画像、音声、動画、３Ｄ表示、ナビゲーション、Webリンク（ＵＲＬ）などから選択されて、誘導シナリオに基づいて選択され順序付けられて登録される。
【０１４３】
本実施形態によれば、携帯端末装置により検出した種々の情報の組み合わせをトリガとして、それら情報に適応した少なくとも２つのコンテンツをシーケンシャルに提供できるので、ビジネスオーナーが求めるマーケッティングにおける動線に沿うシナリオに従ってユーザを所定場所まで積極的に誘導することができる。
【０１４４】
［第６実施形態］
次に、本発明の第６実施形態に係る情報処理システムについて説明する。本実施形態に係る情報処理システムは、上記第２実施形態乃至第５実施形態と比べると、アプリケーションにおける開始条件や提供コンテンツなどを含む誘導シナリオを評価して学習する点で異なる。その他の構成および動作は、第２実施形態から第５実施形態と同様であるため、同じ構成および動作については同じ符号を付してその詳しい説明を省略する。
【０１４５】
（提供コンテンツデータベース）
図２１は、本実施形態に係る提供コンテンツデータベース２１０３の構成を示す図である。図２１において、図１９と同様の構成要素には同じ参照番号を付して、説明を省略する。
【０１４６】
提供コンテンツデータベース２１０３は、第１起動情報、第２起動情報や提供コンテンツを誘導シナリオに従って選択して組み合わせた場合の誘導結果を蓄積することによって、より誘導効果を高める選択あるいは組み合わせを提案する構成を有する。そのために、各誘導シナリオ１９１４に対応付けて、誘導シナリオの評価２１１７と対策２１１８とを記憶する。誘導シナリオの評価２１１７は、誘導結果、条件評価、コンテンツ評価などを含む。
【０１４７】
本実施形態によれば、誘導シナリオに基づくアプリケーションにおける開始条件や提供コンテンツなどの実施結果を蓄積して、評価改善することにより、ビジネスオーナーが求めるマーケッティングにおける動線に沿うシナリオに従ってユーザを所定場所まで、より効率的に誘導することができる。
【０１４８】
［第７実施形態］
次に、本発明の第７実施形態に係る情報処理システムについて説明する。本実施形態に係る情報処理システムは、上記第２実施形態乃至第６実施形態と比べると、ターゲット場所へのユーザの誘導よりも、本発明をゲーム感覚のイベントに適用した点で異なる。その他の構成および動作は、第２実施形態から第６実施形態と同様であるため、同じ構成および動作については同じ符号を付してその詳しい説明を省略する。
【０１４９】
《情報処理システムの動作概念》
図２２Ａは、本実施形態に係る情報処理システムにおける携帯端末装置としてのスマートフォン２１０の動作を示す図である。なお、図２２Ａにおいて、図２Ｂと同様な構成要素には同じ参照番号を付して、説明を省略する。すなわち、スマートフォン２１０には、本実施形態のアプリケーション“BR bonus”２１１がインストールされ起動しているとする。
【０１５０】
本実施形態のアプリケーション起動中に、ユーザは、スマートフォン２１０で「宝探し」のパンフレットあるいは雑誌ページ２２１２のターゲット写真２２１３をカメラで撮像してコンテンツ提供サーバに送信する。コンテンツ提供サーバは、クライアントＩＤに対応するターゲット画像（本例ではバッグ）と撮像画像とを照合して、ターゲット賞品の陳列場所２２１４（ターゲット場所）を取得する。そして、スマートフォン２１０はＧＰＳを使って現在位置を算出してコンテンツ提供サーバに送信する。コンテンツ提供サーバは、現在位置がターゲット賞品の陳列場所から所定距離２２１５（図２２Ａでは１００ｍ）内になると、アプリケーションの処理を開始する。コンテンツ提供サーバは、ターゲット画像とターゲット場所とに関連付けられたバッグ店の紹介ビデオ２２１６を提供して、スマートフォン２１０は紹介ビデオ２２１６を再生する。次に、ユーザは、スマートフォン２１０のカメラでターゲット賞品と思われるバッグ２２１７を撮像する。コンテンツ提供サーバは、バッグ２２１７の撮像画像をターゲット画像と、より精度良く照合し、一致すればターゲット賞品と判定して、スマートフォン２１０からターゲット賞品であるバッグを得たことを通知する通知画面２２１８をユーザに送信する。本例によれば、簡単なアプリケーションの提供により、バッグの宣伝、あるいは、販売店の宣伝、あるいは、商店街や地域の活性化のためにユーザを効率的に勧誘できる。
【０１５１】
図２２Ｂは、本実施形態に係る情報処理システムにおける携帯端末装置としてのスマートフォン２１０の他の動作を示す図である。図２２Ａにおいて、図２Ｂと同様な構成要素には同じ参照番号を付して、説明を省略する。すなわち、スマートフォン２１０には、本実施形態のアプリケーション“BR bonus”２１１がインストールされ起動しているとする。
【０１５２】
本実施形態のアプリケーション起動中に、スマートフォン２１０はＧＰＳを使って現在位置を算出してコンテンツ提供サーバに送信する。コンテンツ提供サーバは、本例のターゲット場所であるスタンプラリーの各スタンプ画像のある複数場所の内、現在位置から所定距離内の場所を見付け、対応するターゲット画像を取得する。次に、ユーザは、スマートフォン２１０のカメラで、ターゲット画像と思われる画像２２２４を撮像する。なお、画像２２２４を想到できるヒント画像をスマートフォン２１０に提供してもよい。コンテンツ提供サーバは、画像２２２４の特徴量からターゲット場所のスタンプ画像に一致すると判定すれば、アプリケーションの処理を開始する。アプリケーションの処理として、ターゲット場所とターゲット画像とに関連付けて、コンテンツ提供サーバは、第１コンテンツ２２２５としてターゲット位置の観光案内を含むプロモーションビデオを、スマートフォン２１０に提供する。引き続いて、スタンプラリーの進行表２２２６を示す第２コンテンツをスマートフォン２１０に提供する。本例によれば、簡単なアプリケーションの提供により、各ターゲット場所の紹介、あるいは、地域の紹介および活性化のためにユーザを効率的に勧誘できる。
【０１５３】
本実施形態によれば、ゲーム感覚の簡単なアプリケーションをスマートフォンで実行させるのみで、ユーザを効率的に勧誘できる。
【０１５４】
［他の実施形態］
実施形態を参照して本発明を説明したが、本発明は上記実施形態に限定されるものではない。本発明の構成や詳細には、本願発明のスコープ内で当業者が理解し得る様々な変更をすることができる。また、それぞれの実施形態に含まれる別々の特徴を如何様に組み合わせたシステムまたは装置も、本発明の範疇に含まれる。
【０１５５】
また、本発明は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ(World Wide Web)サーバも、本発明の範疇に含まれる。特に、少なくとも、上述した実施形態に含まれる処理ステップをコンピュータに実行させるプログラムを格納した非一時的コンピュータ可読媒体（non-transitory computer readable medium）は本発明の範疇に含まれる。
【図１】
2017010284.tif 000003
【図２Ａ】
2017010284.tif 000004
【図２Ｂ】
2017010284.tif 000005
【図３Ａ】
2017010284.tif 000006
【図３Ｂ】
2017010284.tif 000007
【図４Ａ】
2017010284.tif 000008
【図４Ｂ】
2017010284.tif 000009
【図５Ａ】
2017010284.tif 000010
【図５Ｂ】
2017010284.tif 000011
【図５Ｃ】
2017010284.tif 000012
【図６】
2017010284.tif 000013
【図７】
2017010284.tif 000014
【図８】
2017010284.tif 000015
【図９Ａ】
2017010284.tif 000016
【図９Ｂ】
2017010284.tif 000017
【図９Ｃ】
2017010284.tif 000018
【図１０】
2017010284.tif 000019
【図１１Ａ】
2017010284.tif 000020
【図１１Ｂ】
2017010284.tif 000021
【図１２Ａ】
2017010284.tif 000022
【図１２Ｂ】
2017010284.tif 000023
【図１３Ａ】
2017010284.tif 000024
【図１３Ｂ】
2017010284.tif 000025
【図１３Ｃ】
2017010284.tif 000026
【図１４】
2017010284.tif 000027
【図１５】
2017010284.tif 000028
【図１６Ａ】
2017010284.tif 000029
【図１６Ｂ】
2017010284.tif 000030
【図１７Ａ】
2017010284.tif 000031
【図１７Ｂ】
2017010284.tif 000032
【図１７Ｃ】
2017010284.tif 000033
【図１８】
2017010284.tif 000034
【図１９】
2017010284.tif 000035
【図２０】
2017010284.tif 000036
【図２１】
2017010284.tif 000037
【図２２Ａ】
2017010284.tif 000038
【図２２Ｂ】
2017010284.tif 000039
【手続補正書】
【提出日】平成28年8月15日(2016.8.15)
【手続補正１】
【補正対象書類名】特許請求の範囲
【補正対象項目名】全文
【補正方法】変更
【補正の内容】
【特許請求の範囲】
【請求項１】
コンテンツ提供処理を起動するための、携帯端末装置の現在位置算出手段により算出される現在位置に関する第１起動情報と、前記コンテンツ提供処理を起動するための少なくとも１つの第２起動情報と、コンテンツと、を関連付けて保持するコンテンツ保持手段と、
前記携帯端末装置から前記第１起動情報を受信し、前記現在位置が少なくとも１つのターゲット場所から所定距離内であることを判定する第１情報判定手段と、
前記第１情報判定手段が前記所定距離内であることを判定した場合に、前記第２起動情報を設定する第２情報設定手段と、
前記携帯端末装置から前記第２起動情報を受信したことを判定する第２情報判定手段と、
前記第２情報判定手段が前記第２起動情報を受信したことを判定した場合に、前記コンテンツ保持手段に保持された前記コンテンツを前記携帯端末装置に提供するコンテンツ提供手段と、
を備える情報処理装置。
【請求項２】
前記第２起動情報は、前記携帯端末装置が撮像する前記ターゲット場所に関連するターゲット画像を含み、
前記コンテンツ提供手段は、前記第２情報判定手段が前記ターゲット画像を受信したことを判定した場合に、前記携帯端末装置を携帯するユーザに前記ターゲット画像に対応する特典情報を提供することを通知するコンテンツを提供する、請求項１に記載の情報処理装置。
【請求項３】
前記特典情報は、前記ターゲット画像に対応する商品の取得情報である、請求項２に記載の情報処理装置。
【請求項４】
前記特典情報は、前記ターゲット画像に対応するスタンプの獲得情報である、請求項２に記載の情報処理装置。
【請求項５】
前記第２起動情報は、前記携帯端末装置が取得した現在日時に関するターゲット日時の情報を含み、
前記コンテンツ提供手段は、前記第２情報判定手段が受信した前記現在日時が前記ターゲット日時から所定時間内であると判定した場合に、前記ターゲット場所における前記現在日時に関連する催し物への誘導用コンテンツを提供する、請求項１または２に記載の情報処理装置。
【請求項６】
前記第２起動情報は、前記携帯端末装置が取得する所定の方位情報を含み、
前記コンテンツ提供手段は、前記第２情報判定手段が前記所定の方位情報を受信したことを判定した場合に、前記コンテンツ保持手段に保持された前記コンテンツを前記携帯端末装置に提供する、請求項１または２または５に記載の情報処理装置。
【請求項７】
前記コンテンツ提供手段は、前記携帯端末装置を携帯するユーザを前記ターゲット場所に誘導するための第１コンテンツを提供して再生された後、シーケンシャルに前記ターゲット場所に誘導するための第２コンテンツを提供する、請求項１に記載の情報処理装置。
【請求項８】
前記第２起動情報は、さらに、前記携帯端末装置が使用する言語を示す言語情報を含み、
前記コンテンツ提供手段は、前記言語情報に対応する言語のコンテンツを前記携帯端末装置に提供する、請求項２または５または６に記載の情報処理装置。
【請求項９】
前記コンテンツ保持手段に、前記第１起動情報と、前記少なくとも１つの第２起動情報と、前記コンテンツと、を関連付けて登録するコンテンツ登録手段を、さらに備える請求項１乃至８のいずれか１項に記載の情報処理装置。
【請求項１０】
携帯端末装置から、コンテンツ提供処理を起動するための、携帯端末装置の現在位置算出手段により算出される現在位置に関する第１起動情報を受信し、前記現在位置が少なくとも１つのターゲット場所から所定距離内であることを判定する第１情報判定ステップと、
前記第１情報判定ステップにおいて前記所定距離内であることを判定した場合に、前記コンテンツ提供処理を起動するための第２起動情報を設定する第２情報設定ステップと、
前記携帯端末装置から前記第２起動情報を受信したことを判定する第２情報判定ステップと、
前記第２情報判定ステップにおいて前記第２起動情報を受信したことを判定した場合に、前記第１起動情報と前記第２起動情報とに関連付けてコンテンツ保持手段に保持されたコンテンツを前記携帯端末装置に提供するコンテンツ提供ステップと、
をコンピュータに実行させる情報処理プログラム。
【請求項１１】
コンテンツ提供処理を実行するアプリケーションをダウンロードして実行するアプリケーション実行手段と、
前記アプリケーションの実行中に、前記コンテンツ提供処理を起動するための、携帯端末装置の現在位置算出手段により算出される現在位置に関する第１起動情報を取得して、前記コンテンツを提供する情報処理装置に送信する第１情報送信手段と、
前記現在位置が少なくとも１つのターゲット場所から所定距離内であることが判定された場合に前記情報処理装置により設定された、前記コンテンツ提供処理を起動するための第２起動情報を取得して、前記情報処理装置に送信する第２情報送信手段と、
前記第２起動情報の送信に応答して前記情報処理装置から提供されたコンテンツを再生するコンテンツ再生手段と、
を備える携帯端末装置。
【請求項１２】
コンテンツ提供処理を実行するアプリケーションをダウンロードして実行するアプリケーション実行ステップと、
前記アプリケーションの実行中に、前記コンテンツ提供処理を起動するための、携帯端末装置の現在位置算出手段により算出される現在位置に関する第１起動情報を取得して、前記コンテンツを提供する情報処理装置に送信する第１情報送信ステップと、
前記現在位置が少なくとも１つのターゲット場所から所定距離内であることが判定された場合に前記情報処理装置により設定された、前記コンテンツ提供処理を起動するための第２起動情報を取得して、前記情報処理装置に送信する第２情報送信ステップと、
前記第２起動情報の送信に応答して前記情報処理装置から提供されたコンテンツを再生するコンテンツ再生ステップと、
をコンピュータに実行させる携帯端末装置の制御プログラム。
【請求項１３】
コンテンツ提供処理を起動するための、携帯端末装置の現在位置算出手段により算出される現在位置に関する第１起動情報と、前記コンテンツ提供処理を起動するための少なくとも１つの第２起動情報と、コンテンツと、を関連付けて保持するコンテンツ保持手段と、
携帯端末装置が取得した前記第１起動情報において、前記現在位置が少なくとも１つのターゲット場所から所定距離内であることを判定する第１情報判定手段と、
前記第１情報判定手段が前記所定距離内であることを判定した場合に、前記第２起動情報を設定する第２情報設定手段と、
前記携帯端末装置が前記第２起動情報を取得したことを判定する第２情報判定手段と、
前記携帯端末装置が前記第２起動情報を取得したことを判定した場合に、前記コンテンツ保持手段に保持された前記コンテンツを、情報処理装置から前記携帯端末装置に提供するコンテンツ提供手段と、
を備える情報処理システム。
【手続補正２】
【補正対象書類名】明細書
【補正対象項目名】０００６
【補正方法】変更
【補正の内容】
【０００６】
上記目的を達成するため、本発明に係る情報処理装置は、
コンテンツ提供処理を起動するための、携帯端末装置の現在位置算出手段により算出される現在位置に関する第１起動情報と、前記コンテンツ提供処理を起動するための少なくとも１つの第２起動情報と、コンテンツと、を関連付けて保持するコンテンツ保持手段と、
前記携帯端末装置から前記第１起動情報を受信し、前記現在位置が少なくとも１つのターゲット場所から所定距離内であることを判定する第１情報判定手段と、
前記第１情報判定手段が前記所定距離内であることを判定した場合に、前記第２起動情報を設定する第２情報設定手段と、
前記携帯端末装置から前記第２起動情報を受信したことを判定する第２情報判定手段と、
前記第２情報判定手段が前記第２起動情報を受信したことを判定した場合に、前記コンテンツ保持手段に保持された前記コンテンツを前記携帯端末装置に提供するコンテンツ提供手段と、
を備える。
【手続補正３】
【補正対象書類名】明細書
【補正対象項目名】０００７
【補正方法】変更
【補正の内容】
【０００７】
上記目的を達成するため、本発明に係る情報処理プログラムは、
携帯端末装置から、コンテンツ提供処理を起動するための、携帯端末装置の現在位置算出手段により算出される現在位置に関する第１起動情報を受信し、前記現在位置が少なくとも１つのターゲット場所から所定距離内であることを判定する第１情報判定ステップと、
前記第１情報判定ステップにおいて前記所定距離内であることを判定した場合に、前記コンテンツ提供処理を起動するための第２起動情報を設定する第２情報設定ステップと、
前記携帯端末装置から前記第２起動情報を受信したことを判定する第２情報判定ステップと、
前記第２情報判定ステップにおいて前記第２起動情報を受信したことを判定した場合に、前記第１起動情報と前記第２起動情報とに関連付けてコンテンツ保持手段に保持されたコンテンツを前記携帯端末装置に提供するコンテンツ提供ステップと、
をコンピュータに実行させる。
【手続補正４】
【補正対象書類名】明細書
【補正対象項目名】０００８
【補正方法】変更
【補正の内容】
【０００８】
上記目的を達成するため、本発明に係る携帯端末装置は、
コンテンツ提供処理を実行するアプリケーションをダウンロードして実行するアプリケーション実行手段と、
前記アプリケーションの実行中に、前記コンテンツ提供処理を起動するための、携帯端末装置の現在位置算出手段により算出される現在位置に関する第１起動情報を取得して、前記コンテンツを提供する情報処理装置に送信する第１情報送信手段と、
前記現在位置が少なくとも１つのターゲット場所から所定距離内であることが判定された場合に前記情報処理装置により設定された、前記コンテンツ提供処理を起動するための第２起動情報を取得して、前記情報処理装置に送信する第２情報送信手段と、
前記第２起動情報の送信に応答して前記情報処理装置から提供されたコンテンツを再生するコンテンツ再生手段と、
を備える。
【手続補正５】
【補正対象書類名】明細書
【補正対象項目名】０００９
【補正方法】変更
【補正の内容】
【０００９】
上記目的を達成するため、本発明に係る携帯端末装置の制御プログラムは、
コンテンツ提供処理を実行するアプリケーションをダウンロードして実行するアプリケーション実行ステップと、
前記アプリケーションの実行中に、前記コンテンツ提供処理を起動するための、携帯端末装置の現在位置算出手段により算出される現在位置に関する第１起動情報を取得して、前記コンテンツを提供する情報処理装置に送信する第１情報送信ステップと、
前記現在位置が少なくとも１つのターゲット場所から所定距離内であることが判定された場合に前記情報処理装置により設定された、前記コンテンツ提供処理を起動するための第２起動情報を取得して、前記情報処理装置に送信する第２情報送信ステップと、
前記第２起動情報の送信に応答して前記情報処理装置から提供されたコンテンツを再生するコンテンツ再生ステップと、
をコンピュータに実行させる。
【手続補正６】
【補正対象書類名】明細書
【補正対象項目名】００１０
【補正方法】変更
【補正の内容】
【００１０】
上記目的を達成するため、本発明に係る情報処理システムは、
コンテンツ提供処理を起動するための、携帯端末装置の現在位置算出手段により算出される現在位置に関する第１起動情報と、前記コンテンツ提供処理を起動するための少なくとも１つの第２起動情報と、コンテンツと、を関連付けて保持するコンテンツ保持手段と、
携帯端末装置が取得した前記第１起動情報において、前記現在位置が少なくとも１つのターゲット場所から所定距離内であることを判定する第１情報判定手段と、
前記第１情報判定手段が前記所定距離内であることを判定した場合に、前記第２起動情報を設定する第２情報設定手段と、
前記携帯端末装置が前記第２起動情報を取得したことを判定する第２情報判定手段と、
前記携帯端末装置が前記第２起動情報を取得したことを判定した場合に、前記コンテンツ保持手段に保持された前記コンテンツを、情報処理装置から前記携帯端末装置に提供するコンテンツ提供手段と、
を備える。